(57)【要約】  電力制御システム（１００００）は、電力系統（Ｐ１００）から供給される電力を複数の電力需要施設（１０００）に分配する分配部（３００）と、電力系統と、分配部との間に流通電力の値（ＴＬＰ）を測定する測定部（１１３）とを含む。電力系統から分配部へ向かって流れる流通電力の値を正としたときに、（ＴＬＰ＜Ｋ１:ただしＫ１は逆潮流を検出するための閾値を指す）の条件が成立したとき電力制御指示が、電力需要施設対し送信される。電力制御指示は、放電処理を行なっている蓄電装置に対しては、電力系統の方向へ流れる電力量を抑制するように指示し、充電処理を行なっている蓄電装置に対しては、対応する蓄電池に充電される電力を増加するように指示する。
2009157342.tif 000002
【特許請求の範囲】
【請求項１】
電力制御システム（１００００）であって、
複数の電力需要施設（１０００）と、
外部の電力系統（Ｐ１００）が接続される第１接続部（３１０）と、前記複数の電力需要施設が接続される第２接続部（３２０（ｉ））とを含む分配部（３００）と、
前記電力系統と、前記分配部との間に流れる電力である流通電力の値を測定する測定部（１１３）とを備え、
前記分配部は、前記第１接続部を介して前記電力系統から供給される電力を前記複数の電力需要施設に分配し、
前記複数の電力需要施設それぞれは、
発電して電力を前記第２接続部に出力する発電装置（５００）と、
蓄電池（ＢＴ２０）が接続され、且つ前記分配部から分配される電力を受ける蓄電装置（６００）とを、含み、
前記蓄電装置は、接続される前記蓄電池に、当該蓄電装置が受ける電力を蓄える充電処理と、当該蓄電池から蓄えられた電力の少なくとも一部を前記第２接続部に出力する放電処理とを行ない、
前記電力制御システムは、さらに、
（ＴＬＰ＜Ｋ１）の条件が成立するか否かを検出する条件検出部（２１３）と、
前記条件検出部が前記条件が成立すると検出したとき、前記複数の電力需要施設に対し電力制御指示を送信する電力制御部（２１４）とを、備え、
前記ＴＬＰは、前記電力系統から前記分配部の向きに流れる前記流通電力の値を正とした場合における前記測定部が測定する前記流通電力の値を指し、前記Ｋ１は、前記分配部から前記電力系統へ流れる前記流通電力を指す逆潮流を検出するための閾値を指し、
前記電力制御指示は、前記放電処理を行なっている前記蓄電装置に対しては、前記蓄電池から出力される電力量を抑制するように指示し、かつ、前記充電処理を行なっている前記蓄電装置に対しては、前記蓄電池に蓄えられる電力量を増加するように指示する、電力制御システム。
【請求項２】
前記電力制御システムは、さらに、
前記複数の電力需要施設のそれぞれから、当該電力需要施設の前記蓄電装置が、当該蓄電装置に接続される前記蓄電池に対して行なう処理を示す処理情報を受信する処理情報受信部を、備え、
前記電力制御部は、前記処理情報受信部が受信した前記処理情報に基づき、前記複数の電力需要施設に対し、前記電力制御指示を送信する、請求の範囲第１項に記載の電力制御システム。
【請求項３】
前記蓄電装置は、前記分配部から分配される電力、および、前記複数の電力需要施設の前記発電装置が出力する電力を受け、
前記充電処理は、前記分配部から分配される電力の少なくとも一部を前記蓄電池に蓄える第１充電処理、および、前記複数の電力需要施設の前記発電装置が出力する電力の少なくとも一部を前記蓄電池に蓄える第２充電処理のうちの少なくとも一方を指す、請求の範囲第１項に記載の電力制御システム。
【請求項４】
前記蓄電装置は、
接続される前記蓄電池に蓄えられている電流容量の値を検出する電流容量値検出部（６１４）を、有し、
前記電流容量値検出部が検出する前記電流容量の値に基づき、当該蓄電池を充電することが可能であるか否かを検出する、請求の範囲第１項に記載の電力制御システム。
【請求項５】
前記充電することが可能と検出されたとき、前記蓄電装置は、接続される前記蓄電池に充電されるべき電力量を増加させる、請求の範囲第４項に記載の電力制御システム。
【請求項６】
前記複数の電力需要施設の各々は、さらに、
前記分配部と、前記蓄電装置との間に流れる電力である施設内電力の値および前記施設内電力の流れる方向を測定する施設内測定部（７１３）と、
（ＩＮＰ＜Ｌ１）の条件が成立したとき前記施設内電力が大きくなるように内部電力制御処理を行なう施設内制御部（７１５）と、を含み、
前記ＩＮＰは、前記分配部から前記蓄電装置へ向かう方向を正としたときに、測定される前記施設内電力の値を指し、且つ前記Ｌ１は、前記蓄電装置から前記分配部へ流れる電力を検出するための施設内閾値を指し、
前記施設内制御部は、前記電力制御指示を受信したとき、前記施設内閾値を所定値だけ増加させる、請求の範囲第１項に記載の電力制御システム。
【請求項７】
前記内部電力制御処理は、対応する前記蓄電装置が前記放電処理を行なっている場合は、前記放電処理による、前記分配部への電力の供給量を抑制する処理を指し、
前記内部電力制御処理は、対応する前記蓄電池が充電可能な状態であって、かつ、前記対応する蓄電装置が前記充電処理を行なっている場合は、前記充電処理により、前記対応する蓄電池に充電されるべき電力を増加する処理を指す、請求の範囲第６項に記載の電力制御システム。
【請求項８】
前記Ｌ１が指す前記施設内閾値は、０に近い値である、請求の範囲第６項に記載の電力制御システム。
【請求項９】
前記電力制御部は、
（ＴＬＰ≧Ｋ１）の条件が成立することが検出されるまで、前記放電処理を行なっている前記蓄電装置に対しては、当該蓄電装置に接続される前記蓄電池から出力される電力量が抑制されるように制御し、かつ、前記充電処理を行なう前記蓄電装置に対しては、当該蓄電装置に接続される前記蓄電池が充電する電力量が増加するように制御する、請求の範囲第１項に記載の電力制御システム。
【請求項１０】
前記Ｋ１が指す前記閾値は、０に近い値である、請求の範囲第１項に記載の電力制御システム。
【請求項１１】
前記発電装置は、太陽光発電装置を指す、請求の範囲第１項に記載の電力制御システム。
【請求項１２】
電力システム（１００００）を制御するための方法であって、
前記電力システムは、
複数の電力需要施設（１０００）と、
外部の電力系統（Ｐ１００）が接続される第１接続部（３１０）と、前記複数の電力需要施設が接続される第２接続部（３２０（ｉ））とを含む分配部（３００）と、
前記電力系統と、前記分配部との間に流れる電力である流通電力の値を測定する測定部（１１３）とを備え、
前記分配部は、前記第１接続部を介して前記電力系統から供給される電力を前記複数の電力需要施設に分配し、前記第２接続部を介して与えられる電力を前記第１接続部を介して前記電力系統に出力し、
前記複数の電力需要施設それぞれは、
発電して電力を前記第２接続部に出力する発電装置（５００）と、
蓄電池（ＢＴ２０）が接続され、且つ前記分配部から分配される電力または前記発電装置から出力される電力を受ける蓄電装置（６００）とを、含み、
前記蓄電装置は、接続される前記蓄電池に、当該蓄電装置が受ける電力を蓄える充電処理と、当該蓄電池から蓄えられた電力を前記第２接続部に出力する放電処理とを行ない、
前記方法は、
（ＴＬＰ＜Ｋ１）の条件が成立するか否かを検出するステップと、
前記条件が成立すると検出されたとき、前記複数の電力需要施設に対し電力制御指示を送信するステップとを、備え、
前記ＴＬＰは、前記電力系統から前記分配部の向きに流れる前記流通電力の値を正とした場合における前記測定部が測定する前記流通電力の値を指し、前記Ｋ１は、前記分配部から前記電力系統へ流れる前記流通電力を指す逆潮流を検出するための閾値を指し、
前記電力制御指示は、前記放電処理を行なっている前記蓄電装置に対しては、前記蓄電池から出力される電力量を抑制するように指示し、かつ、前記充電処理を行なっている前記蓄電装置に対しては、前記蓄電池に充電される電力量を増加するように指示する、電力システムを制御するための方法。
【発明の詳細な説明】
【技術分野】
【０００１】
本発明は、電力制御システムに関し、特に、電力系統から供給される電力を、複数の電力需要施設に分配する電力制御システムに関する。
【背景技術】
【０００２】
近年、電力を有効に活用する様々な技術が注目されている。たとえば、優先順位が高い電力の供給ラインをできるだけ遮断させないようにするための技術が提案されている（特許文献１：国際公開第０５／０９３９２４号パンフレット）。また、太陽電池からの発電電力を制限することなく、蓄えられた電力が系統へ流出することを防ぐための技術が提案されている（特許文献２：特開２００２−１７１６７４号公報）。【０００３】
また、電力を必要とする施設（以下、電力需要施設ともいう）から、電力需要施設に電力を供給する電力系統へ電力が流れるという逆潮流を防ぐための技術（以下、第１の先行技術ともいう）が提案されている（特許文献３：特開２００４−２０８４２６号公報）。電力需要施設は、たとえば、住宅である。電力系統は、たとえば、電力会社における、電力を供給するシステムである。
【先行技術文献】
【特許文献】
【０００４】
【特許文献１】国際公開第０５／０９３９２４号パンフレット
【特許文献２】特開２００２−１７１６７４号公報
【特許文献３】特開２００４−２０８４２６号公報
【発明の概要】
【発明が解決しようとする課題】
【０００５】
電力需要施設から、電力系統へ電力が流れるという逆潮流が増加すると、電力系統の配電に係る電圧が上昇するなど、電力系統の設備に悪影響を与える。そのため、逆潮流の防止は、必要不可欠である。【０００６】
近年では、電力系統が、複数の電力需要施設（たとえば、住宅）を含む集合住宅へ電力を供給するためのシステムも増えつつある。このようなシステムでは、電力需要施設毎に、電力の使用状況が異なるため、逆潮流を防ぐために、単に、各電力需要施設から、電力系統への電力の流れを防止したのでは、電力を、有効に活用することができない。【０００７】
本発明は、上述の問題点を解決するためになされたものであって、その目的は、電力が電力系統へ流れるのを防ぎつつ、電力の有効活用を可能とする電力制御システムを提供することである。
【課題を解決するための手段】
【０００８】
上記の目的を達成するために、この発明のある局面に従う電力制御システムは、複数の電力需要施設と、外部の電力系統が接続される第１接続部と、複数の電力需要施設が接続される第２接続部とを含む分配部と、電力系統と分配部との間に流れる電力である流通電力の値を測定する測定部とを備える。【０００９】
分配部は、第１接続部を介して電力系統から供給される電力を複数の電力需要施設に分配する。【００１０】
複数の電力需要施設それぞれは、発電して電力を第２接続部に出力する発電装置と、蓄電池を接続し且つ分配部から分配される電力を受ける蓄電装置とを、含む。【００１１】
蓄電装置は、接続される蓄電池に、当該蓄電装置が受ける電力を蓄える充電処理と、当該蓄電池から蓄えられた電力の少なくとも一部を第２接続部に出力する放電処理とを行なう。【００１２】
電力制御システムは、さらに、（ＴＬＰ＜Ｋ１）の条件が成立するか否かを検出する条件検出部と、条件検出部が条件が成立すると検出したとき、複数の電力需要施設に対し電力制御指示を送信する電力制御部とを、備える。【００１３】
ＴＬＰは、電力系統から分配部の向きに流れる流通電力の値を正とした場合における測定部が測定する流通電力の値を指し、Ｋ１は、分配部から電力系統へ流れる流通電力を指す逆潮流を検出するための閾値を指す。【００１４】
電力制御指示は、放電処理を行なっている蓄電装置に対しては、蓄電池から出力される電力量を抑制するように指示し、かつ、充電処理を行なっている蓄電装置に対しては、蓄電池に蓄えられる電力量を増加するように指示する。【００１５】
好ましくは、電力制御システムは、さらに、複数の電力需要施設のそれぞれから、当該電力需要施設の蓄電装置が、当該蓄電装置に接続される蓄電池に対して行なう処理を示す処理情報を受信する処理情報受信部を、備える。そして、電力制御部は、処理情報受信部が受信した処理情報に基づき、複数の電力需要施設に対し、電力制御指示を送信する。【００１６】
好ましくは、蓄電装置は、分配部から分配される電力、および、複数の電力需要施設の前記発電装置が出力する電力を受ける。充電処理は、分配部から分配される電力の少なくとも一部を蓄電池に蓄える第１充電処理、および、複数の電力需要施設の発電装置が出力する電力の少なくとも一部を蓄電池に蓄える第２充電処理のうちの少なくとも一方を指す。【００１７】
好ましくは、蓄電装置は、接続される蓄電池に蓄えられている電流容量の値を検出する電流容量値検出部を、有しする。この電流容量値検出部が検出する電流容量の値に基づき、当該蓄電池を充電することが可能であるか否かを検出する。【００１８】
好ましくは、充電することが可能と検出されたとき、蓄電装置は、接続される蓄電池に充電されるべき電力量を増加させる。【００１９】
好ましくは、複数の電力需要施設の各々は、さらに、分配部と、蓄電装置との間に流れる電力である施設内電力の値および施設内電力の流れる方向を測定する施設内測定部と、（ＩＮＰ＜Ｌ１）の条件が成立したとき施設内電力が大きくなるように内部電力制御処理を行なう施設内制御部と、を含む。【００２０】
ＩＮＰは、分配部から蓄電装置へ向かう方向を正としたときに、測定される施設内電力の値を指し、且つＬ１は、蓄電装置から分配部へ流れる電力を検出するための施設内閾値を指す。施設内制御部は、電力制御指示を受信したとき、施設内閾値を所定値だけ増加させる。【００２１】
好ましくは、内部電力制御処理は、対応する蓄電装置が放電処理を行なっている場合は、放電処理による、分配部への電力の供給量を抑制する処理を指す。内部電力制御処理は、対応する蓄電池が充電可能な状態であって、かつ、対応する蓄電装置が充電処理を行なっている場合は、充電処理により、対応する蓄電池に充電されるべき電力を増加する処理を指す。【００２２】
好ましくは、Ｌ１が指す施設内閾値は、０に近い値である。
好ましくは、電力制御部は、（ＴＬＰ≧Ｋ１）の条件が成立することが検出されるまで、放電処理を行なっている蓄電装置に対しては、当該蓄電装置に接続される蓄電池から出力される電力量が抑制されるように制御し、かつ、充電処理を行なう蓄電装置に対しては、当該蓄電装置に接続される前記蓄電池が充電する電力量が増加するように制御する。【００２３】
好ましくは、Ｋ１が指す閾値は、０に近い値である。
好ましくは、発電装置は、太陽光発電装置を指す。【００２４】
この発明の他の局面に従うと、電力システムを制御するための方法が提供される。
電力システムは、複数の電力需要施設と、外部の電力系統が接続される第１接続部と、複数の電力需要施設が接続される第２接続部とを含む分配部と、電力系統と、分配部との間に流れる電力である流通電力の値を測定する測定部とを備える。【００２５】
分配部は、第１接続部を介して電力系統から供給される電力を複数の電力需要施設に分配し、第２接続部を介して与えられる電力を第１接続部を介して電力系統に出力する。【００２６】
複数の電力需要施設それぞれは、発電して電力を第２接続部に出力する発電装置と、蓄電池を接続し、且つ分配部から分配される電力または発電装置から出力される電力を受ける蓄電装置とを、含む。【００２７】
蓄電装置は、接続される蓄電池に、当該蓄電装置が受ける電力を蓄える充電処理と、当該蓄電池から蓄えられた電力を第２接続部に出力する放電処理とを行なう。【００２８】
方法は、（ＴＬＰ＜Ｋ１）の条件が成立するか否かを検出するステップと、条件が成立すると検出されたとき、複数の電力需要施設に対し電力制御指示を送信するステップとを、備える。【００２９】
ＴＬＰは、電力系統から分配部の向きに流れる流通電力の値を正とした場合における測定部が測定する流通電力の値を指し、Ｋ１は、分配部から電力系統へ流れる流通電力を指す逆潮流を検出するための閾値を指す。【００３０】
電力制御指示は、放電処理を行なっている蓄電装置に対しては、蓄電池から出力される電力量を抑制するように指示し、かつ、充電処理を行なっている蓄電装置に対しては、蓄電池に充電される電力量を増加するように指示する。
【発明の効果】
【００３１】
本発明に係る電力制御システムは、電力系統から供給される電力を複数の電力需要施設に分配する分配部と、電力系統と、分配部との間に流れる電力である流通電力の値を測定する測定部とを含む。電力系統から分配部へ向かう方向を正としたときに、測定される流通電力をＴＬＰ、逆潮流を検出するための閾値をＫ１とし、ＴＬＰ＜ＲＰ０の条件が成立するときは流通電力ＴＬＰが大きくなるように電力制御処理を行なう。電力制御処理では、放電処理を行なっている蓄電装置に対しては、放電処理による、電力系統への方向への電力の供給量を抑制させるように制御する。また、充電処理を行なっている蓄電装置に対しては、対応する蓄電池に充電する電力を増加させるように制御する。【００３２】
したがって、電力が電力需要施設から電力系統へ流れる逆潮流の発生を防ぎつつ、電力の有効活用が可能となる。
【図面の簡単な説明】
【００３３】
【図１】本実施の形態における電力制御システムの構成を示す図である。
【図２】発電装置の内部構成を示すブロック図である。
【図３】蓄電装置の内部構成を示すブロック図である。
【図４】電力測定処理ＤＴおよび電力測定処理ＣＴのフローチャートである。
【図５】総電力制御処理ＣＰ、総電力制御処理ＣＴＡおよび総電力制御処理ＤＴＡのフローチャートである。
【図６】施設内電力制御処理のフローチャートである。
【発明を実施するための形態】
【００３４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３５】
＜第１の実施の形態＞
（システムの構成）
図１は、本実施の形態における電力制御システム１００００の構成を示す図である。なお、図１には、説明のために、電力系統Ｐ１００を示している。電力系統Ｐ１００は、電力を供給する電力会社等の商用の施設である。電力制御システム１００００は、マンション等の集合住宅に設けられるシステムであるとする。なお、これに限定されることなく、電力制御システム１００００は、たとえば、複数の一戸建ての家からなる集合住宅に設けられるシステムであってもよい。
【００３６】
図１を参照して、電力制御システム１００００は、変圧器５０と、分配部３００と、電力計測装置１００と、電力制御装置２００と、複数の電力需要施設１０００とを含む。
【００３７】
変圧器５０、分配部３００、電力計測装置１００および電力制御装置２００は、部屋Ｒ１００内にあるとする。電力制御システム１００００が、マンションに設けられる場合、部屋Ｒ１００は、マンション内に設けられる部屋であり、電力需要施設１０００は、マンション内の住宅である。
【００３８】
電力系統Ｐ１００は、電力線により変圧器５０と電気的に接続される。電力系統Ｐ１００は、６６００Ｖの電圧を有する電力を、電力線を介して、変圧器５０へ供給するとする。変圧器５０は、電力系統Ｐ１００から供給される電力の電圧レベル（６６００Ｖ）を、複数の電力需要施設１０００の各々で使用可能な電圧レベル（単相３線式２００Ｖ）に変換する。
【００３９】
変圧器５０は、電力線ＰＬ１０により分配部３００と電気的に接続される。変圧器５０は、変換した電圧レベルの電力（以下、変換済電力ともいう）を、電力線ＰＬ１０を介して、分配部３００へ供給する。
【００４０】
上記は、電力系統Ｐ１００が６６００Ｖの高圧電力の場合の構成であり、電力系統Ｐ１００が単相３線式２００Ｖの場合は、変圧器５０は不要である。
【００４１】
分配部３００は、電力線ＰＬ１０に流れる電力（たとえば、変換済電力）を、複数の電力需要施設１０００へ分配する機能を有する。分配部３００は、ブレーカー３１０と、ブレーカー３２０（ｉ）（ただし、ｉ＝１，２，３，・・・，ｎ（ｎは自然数））とを含む。本実施の形態において、ブレーカーは、電力の経路を、電気的に接続した状態（以下、オン状態ともいう）または電気的に遮断した状態（以下、オフ状態ともいう）に設定する。本実施の形態では、特に記載がない限り、ブレーカーは、オン状態に設定されているとする。ブレーカー３１０は、電力線ＰＬ１０により、変圧器５０と電気的に接続される。また、ブレーカー３１０は、電力線により、ノードＮ３と電気的に接続される。ブレーカー３２０（ｉ）それぞれは、電力線により、ノードＮ３と電気的に接続される。
【００４２】
ブレーカー３１０は、変圧器５０と、ノードＮ３とを電気的に接続する。この場合、変圧器５０から供給される変換済電力は、ノードＮ３へ供給される。本実施の形態において、電力需要施設１０００の数は、ｎ（自然数）であるとする。したがって、ブレーカー３２０（ｉ）は、それぞれ、電力線ＰＬ３０（ｉ）（ただし、ｉ＝１，２，３，・・・，ｎ（ｎは自然数））それぞれにより、複数の電力需要施設１０００と電気的に接続されるとする。以下においては、電力線ＰＬ３０（ｉ）それぞれを、単に、電力線ＰＬ３０ともいう。
【００４３】
ブレーカー３２０の各々は、ノードＮ３と、対応する電力需要施設１０００とを電気的に接続する。なお、電力需要施設１０００の数は、ｎ（自然数）より大きい値であってもよい。この場合、分配部３００内のブレーカーと、対応する電力需要施設１０００との間に分岐用の分電盤を設けてもよい。
【００４４】
電力計測装置１００は、制御部１１０と、通信部１２０とを含む。
制御部１１０は、電力計測装置１００内の各部に対する処理や、演算処理等を行なうためにＣＰＵ（Central  Processing  Unit）１１１、メモリ１１２および測定部１１３を有する。なお、ＣＰＵ１１１に代替して、演算機能を有するその他の回路であってもよい。ＣＰＵ１１１の制御に基づき測定部１１３は、ノードＮ３の電圧を測定する。なお、本実施の形態では、測定される電圧の値は、特に記載がない限り、正の値であるとする。また、測定部１１３は、電力線ＰＬ１０に流れる電流の値を測定する機能を有する。
【００４５】
ここで、電力線ＰＬ１０における電流の流れる方向が、変圧器５０からブレーカー３１０へ向かう方向（すなわち、電力系統Ｐ１００から分配部３００へ向かう方向）である場合、測定部１１３により測定される電流の値は、正の値であるとする。一方、電力線ＰＬ１０における電流の流れる方向が、ブレーカー３１０から変圧器５０へ向かう方向（すなわち、分配部３００から電力系統Ｐ１００へ向かう方向）である場合、測定部１１３により測定される電流の値は、負の値であるとする。
【００４６】
すなわち、測定部１１３が測定した電流値は、電力線ＰＬ１０における電流の流れる方向も示す。すなわち、測定部１１３は、電力線ＰＬ１０における電流の流れる方向も測定することができる。なお、電力は、電流値と、電圧値の積により算出される。したがって、測定部１１３は、電力線ＰＬ１０に流れる電力の値を測定（検出）することが可能となる。
【００４７】
また、電力は、電流値と、電圧値の積により算出されるので、電圧値は正の値であるとすると、測定部１１３により測定される電力の値が正の値である場合、電力線ＰＬ１０に流れる電力の流れる方向は、電力系統Ｐ１００から分配部３００へ向かう方向となる。一方、測定される電力の値が負の値である場合、電力線ＰＬ１０に流れる電力の流れる方向は、分配部３００から電力系統Ｐ１００へ向かう方向となる。したがって、測定部１１３は、電力線ＰＬ１０に流れる電力の流れる方向を測定（検出）することが可能となる。
【００４８】
なお、測定部１１３が電圧および電流を測定する位置は、電力線ＰＬ１０に流れる電力の電圧および電流を測定できる位置であれば、変圧器５０に近い位置（高圧側）および分配部３００に近い位置（低圧側）のどちらであってもよい。または、測定部１１３は、分配部３００内のノードＮ３よりも電力系統Ｐ１００側であれば、どこに設置されてもよい。本実施の形態では、低圧電力の方が電圧検出素子の耐圧が不要であり低コストで構成できるため、分配部３００に近い位置（低圧側）で、電力線ＰＬ１０に流れる電力の電圧および電流を測定するものとする。
【００４９】
通信部１２０は、制御部１１０および他の装置と通信する機能を有する。通信部１２０は、通信規格としてのホームプラグＡＶに基づいて、ＰＬＣ（Power  Line  Communications：電力線搬送通信）を行なう機能を有する。ＰＬＣは、電力線を利用する通信であるため、通信線を新たに敷設する必要がなく、コストの点、通信の信頼性の点等で、他の通信に比べ有利である。
【００５０】
なお、通信部１２０が行なう通信は、ＰＬＣに限定されることなく、他の通信であってもよい。通信部１２０が行なう通信は、たとえば、ＲＳ（Recommended  standard）４８５の規格に基づく有線通信、Ｅｔｈｅｒｎｅｔ（登録商標）に基づく有線通信、ＩＥＥＥ（Institute  Of  Electrical  and  Electronics  Engineers）８０２．１１ｇに基づく無線通信等であってもよい。
【００５１】
電力制御装置２００は、制御部２１０と、通信部２２０とを含む。制御部２１０は、電力制御装置２００内の各部に対する処理や、演算処理等を行なうためにＣＰＵ２１１、メモリ２１２、条件検出部２１３および電力制御部２１４を有する。条件検出部２１３は、後述の逆潮流を検出するための所定条件が成立するか否かを検出する。電力制御部２１４は、電力需要施設１０００のそれぞれに、電力制御指示を送信する。メモリ２１２に格納されるデータについては後述する。
【００５２】
ＣＰＵ２１１が実行する処理に、条件検出部２１３と電力制御部２１４の機能に相当する処理を組込むことによって、条件検出部２１３と電力制御部２１４を省略してもよい。
【００５３】
通信部２２０は、制御部２１０および他の装置と通信する機能を有する。通信部２２０は、前述の通信部１２０と同じ通信を行なう機能を有する。すなわち、通信部２２０は、ＰＬＣを行なう機能を有する。通信部２２０は、通信部１２０と通信を行なう。
【００５４】
電力需要施設１０００は、分電盤４００と、電気負荷７０Ｒとを含む。
分電盤４００は、ブレーカー４１０，４２０，４３０，４４０を含む。ここで、電力需要施設１０００は、ブレーカー３２０（１）と電気的に接続されるものとする。この場合、ブレーカー４１０は、電力線ＰＬ３０（１）（電力線ＰＬ３０）により、ブレーカー３２０（１）と電気的に接続される。また、ブレーカー４１０は、電力線により、ノードＮ４と電気的に接続される。ブレーカー４１０は、ブレーカー３２０（１）とノードＮ４とを電気的に接続する。
【００５５】
ブレーカー４４０は、電力線により、ノードＮ４および電気負荷７０Ｒと電気的に接続される。電気負荷７０Ｒは、電力を消費することにより動作する装置である。電気負荷７０Ｒは、たとえば、冷蔵庫、エア・コンディショナ、洗濯機等である。ブレーカー４４０は、電気負荷７０Ｒと、ノードＮ４とを電気的に接続する。すなわち、分電盤４００は、当該分電盤４００に供給される電力を、電気負荷７０Ｒへ供給することができる。
【００５６】
電力需要施設１０００は、さらに、電力計測装置７００を含む。電力計測装置７００は、制御部７１０と、通信部７２０とを含む。
【００５７】
制御部７１０は、電力計測装置７００内の各部に対する処理や、演算処理等を行なうためにＣＰＵ７１１、メモリ７１２、測定部７１３、後述の逆潮流の検出をするための条件検出部７１４および電力制御部７１５を有する。電力制御部７１５は、後述の蓄電装置６００による充電と放電ならびに後述の発電装置５００による発電を制御する。メモリ７１２に格納されるデータについては後述する。
【００５８】
ＣＰＵ７１１が実行する処理に、条件検出部７１４と電力制御部７１５の機能に相当する処理を組込むことによって、条件検出部７１４と電力制御部７１５を省略してもよい。
【００５９】
測定部７１３は、ＣＰＵ７１１の制御に基づきノードＮ４の電圧を測定する。測定部７１３は、対応するブレーカー（ブレーカー３２０（１））と、ブレーカー４１０との間の電力線ＰＬ３０（たとえば、電力線ＰＬ３０（１））に流れる電流の値を測定（検出）する。
【００６０】
ここで、電力線ＰＬ３０における電流の流れる方向が、分配部３００から分電盤４００へ向かう方向である場合、測定部７１３により測定される電流の値は、正の値であるとする。一方、電力線ＰＬ３０における電流の流れる方向が、分電盤４００から分配部３００（電力系統Ｐ１００）へ向かう方向である場合、測定部７１３により測定される電流の値は、負の値であるとする。
【００６１】
すなわち、測定部７１３が測定した電流値は、電力線ＰＬ３０における電流の流れる方向も示す。すなわち、測定部７１３は、電力線ＰＬ３０における電流の流れる方向も測定することができる。なお、電力は、電流値と、電圧値の積により算出される。したがって、測定部７１３は、電力線ＰＬ３０に流れる電力の値を測定（検出）することが可能となる。
【００６２】
また、電力は、電流値と、電圧値の積により算出されるので、電圧値は正の値であるとすると、測定部７１３により測定される電力の値が正の値である場合、電力線ＰＬ３０に流れる電力の流れる方向は、分配部３００から分電盤４００へ向かう方向となる。一方、測定部７１３により測定される電力の値が負の値である場合、電力線ＰＬ３０に流れる電力の流れる方向は、分電盤４００から分配部３００（電力系統Ｐ１００）へ向かう方向となる。したがって、測定部７１３は、電力線ＰＬ３０に流れる電力の流れる方向を測定（検出）することが可能となる。
【００６３】
なお、測定部７１３が電圧および電流を測定する位置は、対応する電力需要施設１０００に供給される総電力、または電力需要施設１０００から供給される総電力を測定できる位置であれば、図１に記載の位置に限定されない。
【００６４】
通信部７２０は、制御部７１０および他の装置と通信する機能を有する。通信部７２０は、前述の通信部１２０と同じ通信を行なう機能を有する。すなわち、通信部７２０は、ＰＬＣを行なう機能を有する。通信部７２０は、電力制御装置２００内の通信部２２０および後述する蓄電装置６００と通信を行なう。
【００６５】
電力需要施設１０００は、さらに、発電装置５００と、太陽電池ＢＴ１０とを含む。
太陽電池ＢＴ１０は、太陽光を利用して発電し、発電した電力を、発電装置５００へ供給する機能を有する。太陽電池ＢＴ１０は、供給する電圧が、ＤＣ（Direct  Current）１００Ｖ〜ＤＣ３５０Ｖになるように、複数の太陽電池が直列に接続されたものである。太陽電池ＢＴ１０の最大出力電力は、３ｋＷであるとする。
【００６６】
なお、太陽電池ＢＴ１０の最大出力電力は、３ｋＷに限定されることなく、他の値（たとえば、３〜５ｋＷの範囲のいずれかの値）であってもよい。電力制御システム１００００が、マンションに設けられる場合、太陽電池ＢＴ１０は、マンションの屋上に設けられる。
【００６７】
発電装置５００は、太陽電池ＢＴ１０が得た直流電力を交流電力に変換して、変換した電力を、分電盤４００へ供給する発電処理を行なう機能を有し、低圧系統と連系する太陽光パワーコンディショナである。なお、発電装置５００は、太陽光パワーコンディショナに限定されることなく、たとえば、燃料電池や風力発電等が発電する電力を利用するパワーコンディショナであってもよい。発電装置５００は、常に、太陽電池ＢＴ１０から最大の電力を取得できるような制御（以下、最大電力追従制御ともいう）を行なっている。
【００６８】
分電盤４００に含まれるブレーカー４２０は、電力線により、ノードＮ４および発電装置５００と電気的に接続される。ブレーカー４２０は、ノードＮ４と発電装置５００とを電気的に接続する。
【００６９】
なお、電力制御システム１００００は、上記構成に限定されることはない。たとえば、電力計測装置１００および電力制御装置２００は、１つの装置で構成されてもよい。
【００７０】
図２は、発電装置５００の内部構成を示すブロック図である。図２には、説明のため、太陽電池ＢＴ１０と、後述する通信部６２０と、ＡＣ（Alternating  Current）２００Ｖの電圧源Ｐ５０とを示している。
【００７１】
図２を参照して、発電装置５００は、変換回路５４０を含む。変換回路５４０は、太陽電池ＢＴ１０が得た直流電力を交流電力に変換する機能を有する。
【００７２】
発電装置５００は、さらに、制御部５１０と、通信部５２０と、ドライブ回路５３０とを含む。
【００７３】
制御部５１０は、発電装置５００内の各部に対する処理や、演算処理等を行なうためにＣＰＵ５１１、メモリ５１２および信号生成部５１３を有する。信号生成部５１３は、ＣＰＵ５１１の制御に従いパルス信号５５Ｓおよびパルス幅減少指示５６Ｓならびにパルス幅増加指示５７Ｓを生成し出力する。
【００７４】
以下においては、信号およびデータ等の２値的な高電圧状態（たとえば、電源電圧Ｖｃｃ）および低電圧状態（たとえば、接地電圧ＧＮＤ）を、それぞれ、Ｈレベル（“１”）およびＬレベル（“０”）とも称する。パルス信号は、ＬレベルおよびＨレベルの電圧からなる信号である。
【００７５】
通信部５２０は、制御部５１０および他の装置と通信する機能を有する。通信部５２０は、前述した通信部１２０と同じ通信を行なう機能を有する。通信部５２０は、後述する通信部６２０と通信を行なう。
【００７６】
ドライブ回路５３０は、制御部５１０の信号生成部５１３からのパルス幅減少指示５６Ｓならびにパルス幅増加指示５７Ｓに基づき、変換回路５４０を動作させるためのパルス信号（パルス信号５ＡＳ，５１Ｓ，５２Ｓ，５３Ｓ，５４Ｓ）を生成し出力する。ドライブ回路５３０は、パルス幅減少指示５６Ｓならびにパルス幅増加指示５７Ｓに基づき、出力するパルス信号のＨレベルの幅（パルス幅）を変化させる。
【００７７】
変換回路５４０は、昇圧回路５４１と、インバータ回路５４２と、フィルタ回路５４３と、リレー回路５４４とを含む。
【００７８】
昇圧回路５４１は、太陽電池ＢＴ１０と電気的に接続される。昇圧回路５４１は、太陽電池ＢＴ１０が得た電圧のレベルを、ＤＣ３８０Ｖ程度まで昇圧させる機能を有する。また、昇圧回路５４１は、昇圧させた電圧を、インバータ回路５４２へ供給する。
【００７９】
昇圧回路５４１は、リアクトルＬ５０と、ダイオードＤ５０と、スイッチ回路Ｇ５Ａと、電解コンデンサＣ５１とを含む。スイッチ回路Ｇ５Ａは、ＩＧＢＴ（Insulated  Gate  Bipolar  Transistor）やＭＯＳＦＥＴ（Metal  Oxide  Semiconductor  Field  Effect  Transistor）を利用することができるが、ここではＭＯＳＦＥＴを使用するものとする。
【００８０】
スイッチ回路Ｇ５Ａ内のＭＯＳＦＥＴのゲートには、ドライブ回路５３０から出力されるパルス信号５ＡＳが入力される。スイッチ回路Ｇ５Ａ内のＭＯＳＦＥＴは、ゲートにＨレベルの信号（パルス信号５ＡＳ）が入力された場合、ソース−ドレイン間に電流を流す。
【００８１】
昇圧回路５４１は、制御部５１０の制御（パルス信号５ＡＳ）により、常に、太陽電池ＢＴ１０から最大の電力を取得できるような制御（以下、最大電力追従制御ともいう）を行なっている。
【００８２】
インバータ回路５４２は、昇圧回路５４１から供給される直流電圧を交流電圧に変換する機能を有する。インバータ回路５４２は、スイッチ回路Ｇ５１，Ｇ５２，Ｇ５３，Ｇ５４を含む。スイッチ回路Ｇ５１，Ｇ５２，Ｇ５３，Ｇ５４の各々は、ＩＧＢＴやＭＯＳＦＥＴを利用することができるが、ここではＩＧＢＴを使用するものとする。スイッチ回路Ｇ５１，Ｇ５２，Ｇ５３，Ｇ５４にそれぞれ含まれる４つのＩＧＢＴのゲートには、それぞれ、パルス信号５１Ｓ，５２Ｓ，５３Ｓ，５４Ｓが入力される。スイッチ回路Ｇ５１，Ｇ５２，Ｇ５３，Ｇ５４の各々に含まれるＩＧＢＴは、スイッチ回路Ｇ５Ａに含まれるＭＯＳＦＥＴと同様な機能を有するので詳細な説明は繰り返さない。
【００８３】
インバータ回路５４２は、ドライブ回路５３０から出力される、パルス信号５１Ｓ，５２Ｓ，５３Ｓ，５４Ｓにより、出力する交流電圧を抑制する機能を有する。
【００８４】
フィルタ回路５４３は、インバータ回路５４２により生成された交流電圧の波形を、平滑化して整形する機能を有する。フィルタ回路５４３は、リアクトルＬ５１，Ｌ５２と、コンデンサＣ５２とを含む。
【００８５】
リレー回路５４４は、リレーＳＷ５１，ＳＷ５２を含む。リレーＳＷ５１，ＳＷ５２の各々は、パルス信号５５Ｓに応じて動作する。具体的には、リレーＳＷ５１，ＳＷ５２の各々は、Ｈレベルのパルス信号５５Ｓが入力された場合、フィルタ回路５４３と、電圧源Ｐ５０とを電気的に接続する。一方、リレーＳＷ５１，ＳＷ５２の各々は、Ｌレベルのパルス信号５５Ｓが入力された場合、フィルタ回路５４３と、電圧源Ｐ５０とを電気的に非接続な状態にする。
【００８６】
電圧源Ｐ５０は、図１のブレーカー４２０に電力系統Ｐ１００側から供給される交流電圧を示す。リレー回路５４４がＯＮの場合は、インバータ回路５４２にはリレー回路５４４とフィルタ回路５４３を介してＡＣ２００Ｖの電圧が供給され、インバータ回路５４２はブレーカー４２０側に対してフィルタ回路５４３とリレー回路５４４を介して交流電流を出力する。リレー回路５４４がＯＦＦの場合は、インバータ回路５４２は交流電流の出力を停止する。
【００８７】
なお、図２では、接続状態を簡単に示すために、電圧源Ｐ５０に２本の線が接続されている状態を示しているが、実際には、ＡＣ２００Ｖの電圧源Ｐ５０は、２つのＡＣ１００Ｖの電圧源と、３本の線から構成される単相３線式２００Ｖが接続可能な構成を有する。
【００８８】
また、変換回路５４０は、上記回路構成に限定されることなく、太陽電池ＢＴ１０が得た直流電力を交流電力に変換することが可能な構成であればよく、図２の構成に限定されるものではない。
【００８９】
再び、図１を参照して、電力需要施設１０００は、さらに、蓄電装置６００と、蓄電池ＢＴ２０とを含む。蓄電池ＢＴ２０は、リチウムイオン電池であるとする。蓄電池ＢＴ２０は、８ｋＷｈの電力量を充電可能な電池であるとする。なお、前述したように、太陽電池ＢＴ１０の最大出力電力は、３ｋＷであるとする。
【００９０】
以下においては、蓄電池ＢＴ２０に充電が許容される電力量を、充電許容電力量ともいう。すなわち、蓄電池ＢＴ２０の充電許容電力量は、８ｋＷｈである。また、以下においては、蓄電池ＢＴ２０に蓄えられた電力量が充電許容電力量と等しい場合における蓄電池ＢＴ２０の状態を、満充電状態ともいう。また、以下においては、放電処理が行なわれることにより、蓄電池ＢＴ２０に電力が蓄えられてない状態を、放電終止状態ともいう。
【００９１】
なお、蓄電池ＢＴ２０は、リチウムイオン電池に限定されることなく、大容量の電気エネルギーを蓄える装置であればどのようなものであってもよい。蓄電池ＢＴ２０は、たとえば、鉛蓄電池、ニッケル水素電池、レドックスフロー電池、ナトリウム硫黄電池などの、電気エネルギーを化学エネルギーに変換して蓄える二次電池であってもよいし、リチウムイオンキャパシタのように電気エネルギーのまま蓄える電気二重層キャパシタであってもよい。蓄電池ＢＴ２０は、出力電圧が、１５０Ｖ〜２５０Ｖになるように、複数の蓄電池が直列に接続されたものである。
【００９２】
蓄電装置６００は、電力を、蓄電池ＢＴ２０に蓄えるための充電処理と、蓄電池ＢＴ２０に蓄えられた電力を放電させるための放電処理とを行なう機能を有する蓄電池用パワーコンディショナである。なお、充電処理により、蓄電池ＢＴ２０の状態が、満充電状態になった場合、蓄電装置６００は、充電処理を停止し、充電処理および放電処理のいずれも行なわない状態になる。また、放電処理により、蓄電池ＢＴ２０の状態が、放電終止状態になった場合、蓄電装置６００は、放電処理を停止し、充電処理および放電処理のいずれも行なわない状態になる。
【００９３】
なお、蓄電装置６００は、蓄電池を利用しない装置であってもよい。この場合、蓄電装置６００は、電気二重層キャパシタや超電導電力貯蔵装置等の電気エネルギーとして蓄える装置であってもよい。また、蓄電装置６００は、たとえば、電気エネルギーを力学エネルギーに変換して蓄えるフライホイール電力貯蔵装置であってもよい。
【００９４】
分電盤４００に含まれるブレーカー４３０は、電力線により、ノードＮ４および蓄電装置６００と電気的に接続される。ブレーカー４３０は、ノードＮ４と蓄電装置６００とを電気的に接続する。
【００９５】
分電盤４００には、分配部３００から電力が供給される。また、分電盤４００には、対応する蓄電装置６００が放電処理を行なっている場合、当該対応する蓄電装置６００から電力が供給される。また、分電盤４００には、対応する発電装置５００が発電処理を行なっている場合、当該対応する発電装置５００から電力が供給される。また、分電盤４００には、対応する蓄電装置６００が放電処理を行なっており、かつ、対応する発電装置５００が発電処理を行なっている場合、当該対応する蓄電装置６００および当該対応する発電装置５００から電力が供給される。
【００９６】
また、分配部３００から分電盤４００に電力が供給されており、対応する蓄電装置６００が充電処理を行なっている場合、分配部３００から分電盤４００に供給される電力の少なくとも一部は、対応する蓄電装置６００が行なう充電処理により、対応する蓄電池ＢＴ２０に充電される。
【００９７】
また、放電処理を行なっている蓄電装置６００から分電盤４００に電力が供給されており、分電盤４００に供給される総電力量が、電気負荷７０Ｒで消費される電力量より大きい場合、放電処理を行なっている蓄電装置６００から分電盤４００に供給される電力の少なくとも一部は、分配部３００へ送られる。
【００９８】
なお、分電盤４００は、各装置間を電気的に接続するだけのものであり、電力の流れは、各装置の出力状態や電気負荷の大きさによって自然に決まるものである。
【００９９】
ここで、電力線ＰＬ３０（１）と接続される電力需要施設１０００を、電力需要施設Ａとよぶものとする。また、電力線ＰＬ３０（ｎ）と接続される電力需要施設１０００を、電力需要施設Ｂとよぶものとする。また、電力需要施設Ａ内の蓄電装置６００が充電処理を行なっているとする。また、電力需要施設Ｂ内の発電装置５００が発電処理を行なっており、電力需要施設Ｂが、当該発電処理により得られた電力の少なくとも一部を、分配部３００へ供給しているとする。
【０１００】
この場合、電力需要施設Ｂが分配部３００へ供給している当該発電処理により得られた電力の少なくとも一部は、電力需要施設Ａ内の蓄電装置６００が充電処理を行なっていることにより、分配部３００を介して、電力需要施設Ａ内の蓄電池ＢＴ２０に充電される場合もある。
【０１０１】
すなわち、充電処理を行なう蓄電装置６００を含む電力需要施設Ａ以外の電力需要施設Ｂが含む発電装置５００が行なう発電処理により電力系統Ｐ１００への方向に送られる電力の少なくとも一部を、電力需要施設Ａ内の蓄電池ＢＴ２０に蓄えることもできる。
【０１０２】
すなわち、ある電力需要施設が分配部３００へ供給している電力を、他の電力需要施設が有効利用することもできる。すなわち、複数の電力需要施設１０００は、分配部３００を介して、電力の有効利用を行なうことができる。
【０１０３】
図３は、蓄電装置６００の内部構成を示すブロック図である。図３には、説明のため、蓄電池ＢＴ２０と、発電装置５００内の通信部５２０と、電圧源Ｐ６０と電力計測装置７００内の通信部７２０とを示している。
【０１０４】
図３を参照して、蓄電装置６００は、充放電回路６４０を含む。充放電回路６４０は、電力を、蓄電池ＢＴ２０に蓄えるための充電処理と、蓄電池ＢＴ２０に蓄えられた電力を放電させるための放電処理とを行なう機能を有する。
【０１０５】
蓄電装置６００は、さらに、制御部６１０と、通信部６２０と、ドライブ回路６３０とを含む。
【０１０６】
制御部６１０は、蓄電装置６００内の各部に対する処理や、演算処理等を行なうためにＣＰＵ６１１、メモリ６１２、信号生成部６１３、測定部６１４および状態検出部６１５を有する。信号生成部６１３はＣＰＵ６１１の制御に基づきパルス信号６５Ｓとパルス幅減少指示６６Ｓならびにパルス幅増加指示６７Ｓを生成し出力する。また、測定部６１４はＣＰＵ６１１の制御に基づき、蓄電池ＢＴ２０と、蓄電装置６００内の後述するリアクトルＬ６０とを接続する電線に流れる電流の値および電流の流れる方向を測定（検出）する。メモリ６１２に格納されるデータについては後述する。
【０１０７】
また、状態検出部６１５は、測定部６１４の検出結果に基づき、充放電回路６４０が充電処理および放電処理のいずれの処理をおこなっているか、または、充放電回路６４０が充電処理および放電処理のいずれもおこなっていないかを常に検知している。すなわち、蓄電装置６００が充電処理および放電処理のいずれの処理をおこなっているか、または、蓄電装置６００が充電処理および放電処理のいずれもおこなっていないかを常に検知している。
【０１０８】
通信部６２０は、制御部６１０および他の装置と通信する機能を有する。通信部６２０は、前述した通信部１２０と同じ通信を行なう機能を有する。通信部６２０は、発電装置５００内の通信部５２０および電力計測装置７００内の通信部７２０と通信を行なう。
【０１０９】
なお、図１、図２、図３に示される通信部１２０，２２０，５２０，６２０，７２０の各々は、対応する制御部からの指示の有無に関わらず、受信したデータを、受信したデータの宛先へ送信する機能を有する。すなわち、通信部１２０，２２０，５２０，６２０，７２０の各々は、任意の通信部と通信する機能を有する。
【０１１０】
たとえば、通信部１２０が、制御部１１０から発電装置５００宛のデータ（以下、発電装置宛データともいう）を受信した場合、通信部１２０は、発電装置宛データを、通信部２２０へ送信し、通信部２２０は、受信した発電装置宛データを、通信部７２０へ送信する。通信部７２０は、受信した発電装置宛データを、通信部６２０へ送信し、通信部６２０は、受信した発電装置宛データを、発電装置５００内の通信部５２０へ送信する。
【０１１１】
また、たとえば、通信部７２０は、蓄電装置６００内の通信部６２０と通信し、通信部７２０は、蓄電装置６００内の通信部６２０を利用して、発電装置５００内の通信部５２０と通信できる。したがって、電力計測装置１００内の通信部１２０は、通信部２２０および通信部７２０を利用して、蓄電装置６００内の通信部６２０と通信できる。また、電力計測装置１００内の通信部１２０は、通信部２２０、通信部７２０および通信部６２０を利用して、発電装置５００内の通信部５２０と通信できる。
【０１１２】
なお、通信部１２０，２２０，５２０，６２０，７２０の各々の通信形態は、図１、図２、図３に示した形態に限定されない。たとえば、通信部２２０が、発電装置５００内の通信部５２０および蓄電装置６００内の通信部６２０と直接通信可能なように構成されてもよい。
【０１１３】
ドライブ回路６３０は、信号生成部６１３からのパルス幅減少指示６６Ｓならびにパルス幅増加指示６７Ｓに応じて、充放電回路６４０を動作させるためのパルス信号（パルス信号６ＡＳ，６ＢＳ，６１Ｓ，６２Ｓ，６３Ｓ，６４Ｓ）を生成し出力する。ドライブ回路６３０は、パルス幅減少指示６６Ｓならびにパルス幅増加指示６７Ｓに基づき、出力するパルス信号のＨレベルの幅（パルス幅）を変化させる。
【０１１４】
充放電回路６４０は、双方向チョッパ６４１と、双方向インバータ回路６４２と、フィルタ回路６４３と、リレー回路６４４とを含む。
【０１１５】
双方向チョッパ６４１は、蓄電池ＢＴ２０と電気的に接続される。充放電回路６４０が放電処理を行なう時（以下、放電処理実行時ともいう）、双方向チョッパ６４１は、蓄電池ＢＴ２０から得た電圧のレベルを、ＤＣ３８０Ｖ程度まで昇圧させる機能を有する。また、双方向チョッパ６４１は、放電処理実行時において、昇圧させた電圧を、双方向インバータ回路６４２へ供給する。
【０１１６】
双方向チョッパ６４１は、リアクトルＬ６０と、スイッチ回路Ｇ６Ａと、スイッチ回路Ｇ６Ｂと、電解コンデンサＣ６１とを含む。スイッチ回路Ｇ６Ａおよびスイッチ回路Ｇ６Ｂの各々は、ＭＯＳＦＥＴである。
【０１１７】
スイッチ回路Ｇ６Ａ内のＭＯＳＦＥＴのゲートには、ドライブ回路６３０から出力されるパルス信号６ＡＳが入力される。スイッチ回路Ｇ６Ａ内のＭＯＳＦＥＴは、ゲートにＨレベルの信号（パルス信号６ＡＳ）が入力された場合、ソース−ドレイン間に電流を流す。スイッチ回路Ｇ６Ｂ内のＭＯＳＦＥＴのゲートには、ドライブ回路６３０から出力されるパルス信号６ＢＳが入力される。スイッチ回路Ｇ６Ｂ内のＭＯＳＦＥＴは、スイッチ回路Ｇ６Ａに含まれるＭＯＳＦＥＴと同様な機能を有するので詳細な説明は繰り返さない。
【０１１８】
双方向インバータ回路６４２は、放電処理実行時において、双方向チョッパ６４１から供給される直流電圧を交流電圧に変換する機能を有する。双方向インバータ回路６４２は、スイッチ回路Ｇ６１，Ｇ６２，Ｇ６３，Ｇ６４を含む。スイッチ回路Ｇ６１，Ｇ６２，Ｇ６３，Ｇ６４の各々は、ＩＧＢＴである。スイッチ回路Ｇ６１，Ｇ６２，Ｇ６３，Ｇ６４にそれぞれ含まれる４つのＩＧＢＴのゲートには、それぞれ、パルス信号６１Ｓ，６２Ｓ，６３Ｓ，６４Ｓが入力される。スイッチ回路Ｇ６１，Ｇ６２，Ｇ６３，Ｇ６４の各々に含まれるＩＧＢＴは、スイッチ回路Ｇ６Ａに含まれるＭＯＳＦＥＴと同様な機能を有するので詳細な説明は繰り返さない。
【０１１９】
フィルタ回路６４３は、放電処理実行時において、双方向インバータ回路６４２により生成された交流電圧の波形を、平滑化して整形する機能を有する。フィルタ回路６４３は、リアクトルＬ６１，Ｌ６２と、コンデンサＣ６２とを含む。
【０１２０】
リレー回路６４４は、リレーＳＷ６１，ＳＷ６２を含む。リレーＳＷ６１，ＳＷ６２の各々は、パルス信号６５Ｓに応じて動作する。具体的には、リレーＳＷ６１，ＳＷ６２の各々は、Ｈレベルのパルス信号６５Ｓが入力された場合、フィルタ回路６４３と、電圧源Ｐ６０とを電気的に接続する。一方、リレーＳＷ６１，ＳＷ６２の各々は、Ｌレベルのパルス信号６５Ｓが入力された場合、フィルタ回路６４３と、電圧源Ｐ６０とを電気的に非接続な状態にする。
【０１２１】
電圧源Ｐ６０は、図１のブレーカー４３０に電力系統Ｐ１００側から供給される交流電圧を示す。リレー回路６４４がＯＮの場合は、双方向インバータ回路６４２にはリレー回路６４４とフィルタ回路６４３を介してＡＣ２００Ｖの電圧が供給され、双方向インバータ回路６４２はブレーカー４２０側に対してフィルタ回路６４３とリレー回路６４４を介して交流電流を出力する。リレー回路６４４がＯＦＦの場合は、双方向インバータ回路６４２は交流電流の出力を停止する。
【０１２２】
なお、図３では、接続状態を簡単に示すために、電圧源Ｐ６０に２本の線が接続されている状態を示しているが、実際には、電圧源Ｐ６０は、２つの電圧源と、３本の線から構成される単相３線式２００Ｖが処理可能な構成を有する。
【０１２３】
充放電回路６４０が充電処理を行なう時（以下、充電処理実行時ともいう）、ブレーカー４３０から供給される交流電圧が、リレー回路６４４を介して、フィルタ回路６４３に供給される。フィルタ回路６４３と双方向インバータ回路６４２は一体となって交流電圧の整流および昇圧の動作を行い、充電処理実行時において、フィルタ回路６４３に供給される交流電圧を、ＤＣ３８０Ｖの直流電圧に変換し、変換した直流電圧を、双方向チョッパ６４１へ供給する。双方向チョッパ６４１は、充電処理実行時において、双方向インバータ回路６４２から供給された直流電圧のレベルを、蓄電池ＢＴ２０で使用可能なレベルに低下させて、蓄電池ＢＴ２０を充電する。
【０１２４】
なお、制御部６１０の測定部６１４は、前述したように、蓄電池ＢＴ２０と、リアクトルＬ６０との間に流れる電流を測定する。測定部６１４は、充電処理実行時には、蓄電池ＢＴ２０に向かって流れる充電電流を正の値として積算していき、放電処理実行時には、蓄電池ＢＴ２０からリアクトルＬ６０に向かって流れる放電電流を負の値として積算していく。測定部６１４は電流容量値検出部として機能する。つまり、積算された充電電流と、積算された放電電流との差を算出することにより、現時点で蓄電池ＢＴ２０に蓄えられている電流容量の値（以下、蓄電流容量値ともいう）ＣＣ１を常に検出し、メモリ６１２に格納する。
【０１２５】
また、満充電状態の蓄電池ＢＴ２０が有する電流容量の値（以下、最大電流容量値ともいう）ＣＭ１を予めメモリ６１２に記憶しているとする。そして、状態検出部６１５は、蓄電流容量値を、最大電流容量値で除算した値に、１００を乗算することにより求まる充電状態値（ＳＯＣ；State  Of  Charge）を、常に算出してメモリ６１２に格納する。充電状態値は、０〜１００の範囲の値であり、単位は、％で表される。たとえば、蓄電流容量値ＣＣ１と、最大電流容量値ＣＭ１とが等しい場合、充電状態値は、１００（％）となり、蓄電池ＢＴ２０の状態は、満充電状態である。すなわち、充電状態値ＳＯＣは、蓄電池ＢＴ２０の充電状態を示す値である。
【０１２６】
また、充放電回路６４０は、上記回路構成に限定されることなく、電力を、蓄電池ＢＴ２０に蓄えるための充電処理と、蓄電池ＢＴ２０に蓄えられた電力を放電させるための放電処理とを行なうことが可能な回路構成であればよく、図３の構成に限定されない。
【０１２７】
再び、図１を参照して、本実施の形態における電力需要施設１０００は、発電装置５００および蓄電装置６００の両方を含む構成とした。しかしながら、これに限定されることなく、電力需要施設１０００は、蓄電装置６００を含まず、発電装置５００を含む構成であってもよい。
【０１２８】
なお、各電力需要施設１０００から、分配部３００に向かう電力をなるべく抑制するには、電力需要施設１０００は、発電装置５００および蓄電装置６００の両方を含む構成であることが好ましい。なぜならば、電力需要施設１０００が、蓄電装置６００を含まず、発電装置５００を含む構成である場合、電力需要施設１０００から分配部３００に向かう電力を抑制するには、発電装置５００が得る電力の出力を抑える必要が生じ、本来発電できる電力を捨てることになる。すなわち、エネルギーの効率利用の観点から好ましくないからである。
【０１２９】
（電力制御方法）
次に、電力が電力系統Ｐ１００へ流れるのを防ぐために、電力制御システム１００００において行なわれる処理について説明する。
【０１３０】
まず、電力計測装置１００が、電力線ＰＬ１０に流れる電力の値を測定する処理（以下、電力測定処理ともいう）について説明する。以下においては、電力測定処理において、電力計測装置１００が行なう処理を、電力測定処理ＤＴともいう。電力測定処理ＤＴは、他の処理とは独立して行なわれる処理である。また、以下においては、電力測定処理において、電力制御装置２００が行なう処理を、電力測定処理ＣＴともいう。電力測定処理ＣＴは、他の処理とは独立して行なわれる処理である。
【０１３１】
図４は、電力測定処理ＤＴおよび電力測定処理ＣＴのフローチャートである。図４を参照して、電力測定処理ＤＴでは、まず、ステップＳ１１１の処理が行なわれる。
【０１３２】
ステップＳ１１１では、測定部１１３が、電力線ＰＬ１０に流れる電流の値およびノードＮ３の電圧の値を測定する。すなわち、電力線ＰＬ１０に流れる電力の値を測定する。そして、ステップＳ１１２に進む。
【０１３３】
ステップＳ１１２では、制御部１１０のＣＰＵ１１１が、図示しないタイマによって所定時間経過したか否かを検出する。所定時間は、たとえば、１秒であるとする。ステップＳ１１２において、ＹＥＳならば、ステップＳ１１３に進む。一方、ステップＳ１１２において、ＮＯならば、再度、ステップＳ１１１の処理が行なわれる。
【０１３４】
ステップＳ１１３では、測定部１１３が、測定した電力の値（以下、測定電力値ともいう）を、電力制御装置２００へ送信する。そして、再度、ステップＳ１１１の処理が行なわれる。
【０１３５】
電力測定処理ＣＴでは、まず、ステップＳ１２１の処理が行なわれる。
ステップＳ１２１では、電力値受信処理が行なわれる。電力値受信処理では、制御部２１０が、測定電力値を受信する。なお、電力測定処理ＣＴでは、ステップＳ１２１の処理が繰り返し行なわれる。
【０１３６】
以上の処理が行なわれることにより、所定時間経過毎に、ＣＰＵ２１１は、電力線ＰＬ１０に流れる電力の値（測定電力値）を取得する。すなわち、ＣＰＵ２１１は、所定時間経過毎に、電力線ＰＬ１０に流れる電力の流れる方向を、検知しているとする。以下においては、測定電力値はメモリ２１２に格納されて、電力値ＴＬＰと表す。
【０１３７】
ここで、電力制御システム１００００に含まれる複数の電力需要施設１０００の一部から、分配部３００の方向へ向かって電力が流れているとする。
【０１３８】
次に、電力制御装置２００が、電力が電力系統Ｐ１００へ流れるのを防ぐために行なう処理（以下、総電力制御処理ともいう）について説明する。以下においては、総電力制御処理において、電力制御装置２００が行なう処理を、総電力制御処理ＣＴＡともいう。
【０１３９】
また、以下においては、総電力制御処理において、電力制御システム１００００に含まれる複数の電力需要施設１０００にそれぞれ含まれる複数の蓄電装置６００の各々が行なう処理を、総電力制御処理ＣＰともいう。また、以下においては、総電力制御処理において、電力制御システム１００００に含まれる複数の電力需要施設１０００にそれぞれ含まれる複数の電力計測装置７００の各々が行なう処理を、総電力制御処理ＤＴＡともいう。
【０１４０】
図５は、総電力制御処理ＣＰ、総電力制御処理ＣＴＡおよび総電力制御処理ＤＴＡのフローチャートである。図５を参照して、総電力制御処理ＣＴＡでは、まず、ステップＳ２２１の処理が行なわれる。
【０１４１】
ステップＳ２２１では、条件検出部２１３により、逆潮流の発生の可能性が高いか否かが検出される。ここで、逆潮流は、分配部３００（電力需要施設１０００）から、電力系統Ｐ１００への電力の流れであるとする。具体的には、条件検出部２１３が、現時点において、図４の電力測定処理ＣＴにより取得している最新の電力値ＴＬＰをメモリ２１２から読出し、読出した電力値ＴＬＰが、所定範囲の値に含まれる値を指示するか否かを検出する。ここで、所定範囲の値は、電力線ＰＬ１０に流れる電力の流れる方向が、分配部３００から電力系統Ｐ１００へ流れる方向となる可能性が高い範囲の値であるとする。すなわち、所定範囲の値は、逆潮流の発生の可能性が高い範囲の値である。所定範囲の値は、予めメモリ２１２に格納されていると想定する。
【０１４２】
条件検出部２１３の検出の結果が、電力値ＴＬＰが、負の値であると指示する場合は、逆潮流が発生していることが検出される。電力値ＴＬＰが、０に近い正の値であると指示する場合は、逆潮流の発生の可能性が高いことが検出される。所定範囲の値は、一例として、１以上且つ正の所定値Ｋ１未満の値であるとする。ここで、所定値Ｋ１は、予めメモリ２１２に格納されている。
【０１４３】
ここで、電力制御システム１００００の電力の最大出力値の１％が、所定値Ｋ１の値であるとする。また、電力制御システム１００００の電力の最大出力値は、９０ｋＷとする。この場合、所定値Ｋ１は、９００（Ｗ）となる。
【０１４４】
ステップＳ２２１において、（１≦ＴＬＰ＜Ｋ１）の条件が成立する、すなわち逆潮流の発生の可能性が高いと検出されると（ステップＳ２２１でＹＥＳ）、処理はステップＳ２２２に進むが、当該条件が成立しない、すなわち逆潮流の発生の可能性が高くはないと検出されると（ステップＳ２２１でＮＯ）、処理は、後述するステップＳ２２５に進む。ここでは、電力値ＴＬＰが、一例として、３００（Ｗ）であるとする。この場合、処理はステップＳ２２２に進む。
【０１４５】
ステップＳ２２２では、ＣＰＵ２１１が、処理情報要求を、電力需要施設１０００それぞれ含まれる複数の蓄電装置６００へ送信する。処理情報要求は、蓄電装置６００が現在行なっている処理（充電処理または放電処理）を示す情報を要求するための指示である。そして、ステップＳ２２２の処理は終了する。
【０１４６】
総電力制御処理ＣＰでは、まず、ステップＳ２６１の処理が行なわれる。
ステップＳ２６１では、ＣＰＵ６１１が、制御部２１０から処理情報要求を受信したか否かを検出する。受信したと検出すると（ステップＳ２６１でＹＥＳ）、処理はステップＳ２６２に進むが、受信しないと検出すると（ステップＳ２６１でＮＯ）、再度、ステップＳ２６１の処理が行なわれる。ここでは、処理情報要求を受信したとして、ステップＳ２６２に進む。
【０１４７】
ステップＳ２６２では、制御部６１０が、処理情報を、電力制御装置２００へ送信する。処理情報は、対応する蓄電装置６００が現在行なっている処理（充電処理または放電処理）を示す情報である。蓄電装置６００が充電処理を行なっている場合、送信される処理情報は充電処理を示し、放電処理を行なっている場合は放電処理を示し、充電処理および放電処理のいずれも行なっていない場合は処理停止を示す。そして、再度、ステップＳ２６１の処理が行なわれる。
【０１４８】
総電力制御処理ＣＴＡでは、ステップＳ２２２の処理の後、ステップＳ２２３に進む。
ステップＳ２２３では、処理情報受信処理が行なわれる。処理情報受信処理では、制御部２１０が、処理情報を受信する。処理情報には、当該処理情報を送信した蓄電装置６００を識別する情報が含まれる。ＣＰＵ２１１は、処理情報要求を送信した全ての蓄電装置６００から、処理情報を受信したと検出すると、この処理情報受信処理を終了し、ステップＳ２２４に進む。制御部２１０は、受信した処理情報を解析することにより、電力制御システム１００００に含まれる複数の蓄電装置６００のうち、充電処理または放電処理を行なっている蓄電装置６００を検出することができる。
【０１４９】
ステップＳ２２４では、電力制御処理が行なわれる。電力制御処理では、制御部２１０の電力制御部２１４が、処理情報を、自装置（電力制御装置２００）に提供した全ての電力需要施設１０００の各々に含まれる電力計測装置７００宛てに、電力制御指示を生成して送信する。
【０１５０】
電力制御指示は、受信した処理情報の解析結果に基づき生成されて、電力需要施設１０００の蓄電装置６００それぞれに宛てて送信される。具体的には、放電処理を行なっている蓄電装置６００宛てに送信される電力制御指示は、放電処理による、電力系統Ｐ１００への方向への電力の供給量を抑制させるための処理の実行を指示する。また、充電処理を行なっている蓄電装置６００宛てに送信される電力制御指示は、充電処理により、対応する蓄電池ＢＴ２０に充電する電力を増加させるための処理の実行を指示する。
【０１５１】
具体的には、電力制御指示は、電力計測装置７００が行なう後述する処理において使用される比較値Ｌ１を、所定値（たとえば、５）だけ増加させるための指示である。比較値Ｌ１は、電力線ＰＬ３０に流れる電力の値（施設内測定電力値）と比較するために参照される値であって、ゼロに近い値を指す。そして、ステップＳ２２４の処理は終了する。
【０１５２】
総電力制御処理ＤＴＡでは、まず、ステップＳ２７１の処理が行なわれる。ここで、電力制御システム１００００に含まれる複数の電力需要施設１０００にそれぞれ含まれる複数の電力計測装置７００の各々の制御部７１０は、予め、後述する処理において使用する比較値Ｌ１をメモリ７１２に記憶しているとする。
【０１５３】
ステップＳ２７１では、制御部７１０のＣＰＵ７１１が、電力制御指示を受信したか否かを検出する。受信したと検出すると（ステップＳ２７１でＹＥＳ）、処理はステップＳ２７２に移行する。受信しないと検出すると（ステップＳ２７１でＮＯ）、処理は後述するステップＳ２７３に進む。ここでは、電力制御指示を受信したとして、処理はステップＳ２７２に進む。
【０１５４】
ステップＳ２７２では、比較値増加処理が行なわれる。比較値増加処理では、ＣＰＵ７１１が、電力制御指示に基づいて、メモリ７１２の比較値Ｌ１を増加させる。ここで、比較値Ｌ１の初期値は、発電装置５００の最大出力の１％の値であるとする。ここで、発電装置５００の最大出力は、３ｋＷであるとする。この場合、比較値Ｌ１の初期値は、３０（Ｗ）となる。また、電力制御指示は、比較値Ｌ１を、“５”増加させるための指示であるとする。この場合、ステップＳ２７２の処理により、比較値Ｌ１は、“３５”となる。そして、処理はステップＳ２７３に進む。
【０１５５】
ステップＳ２７３では、ＣＰＵ７１１が、比較値Ｌ１の減少を指示する後述の減少指示を受信したか否かを検出する。受信したと検出すると（ステップＳ２７３でＹＥＳ）、処理はステップＳ２７４に進む。受信しないと検出すると（ステップＳ２７３でＮＯ）、再度、ステップＳ２７１の処理が行なわれる。ここでは、減少指示を受信してないとして、再度、ステップＳ２７１の処理が行なわれるとする。
【０１５６】
総電力制御処理ＣＴＡでは、ステップＳ２２４の処理の後、ステップＳ２２５に進む。
ステップＳ２２５では、ＣＰＵ２１１は、逆潮流の発生の可能性が低いか否かを検出する。逆潮流は、前述したように、分配部３００（電力需要施設１０００）から、電力系統Ｐ１００への電力の流れであるとする。
【０１５７】
具体的には、ステップＳ２２５では、条件検出部２１３が、現時点において、図４の電力測定処理ＣＴにより検出している最新の電力値ＴＬＰが、前述した正の所定値Ｋ１（９００）以上であるか否かを検出する。すなわち、検出した最新の電力値ＴＬＰが（電力線ＰＬ１０に流れる電力の流れる方向が）、分配部３００から電力系統Ｐ１００へ流れる方向となる可能性が低い値であるか否かを検出する。
【０１５８】
つまり、（ＴＬＰ≧Ｋ１）の条件が成立すると検出すると（ステップＳ２２５でＹＥＳ）、処理はステップＳ２２６に進むが、当該条件は成立しないと検出すると（ステップＳ２２５でＮＯ）、処理は再度、ステップＳ２２１に移行する。ここでは、最新の電力値ＴＬＰが、所定値Ｋ１未満であるとして、再度、ステップＳ２２２の処理が行なわれるとする。
【０１５９】
そして、再度、前述した、ステップＳ２２２，Ｓ２６１，Ｓ２６２，Ｓ２２３，Ｓ２２４，Ｓ２７１，Ｓ２７２の処理が行なわれる毎に、比較値Ｌ１が、所定値ずつ増加する。ステップＳ２２２，Ｓ２６１，Ｓ２６２，Ｓ２２３，Ｓ２２４，Ｓ２７１，Ｓ２７２の処理は、ＣＰＵ２１１が、図４の電力測定処理ＣＴにより取得している電力値ＴＬＰが、前述した正の所定値Ｋ１以上を指示すると検出されるまで繰り返し行なわれる。
【０１６０】
そして、比較値Ｌ１が、たとえば、５０（Ｗ）になったときに、ＣＰＵ２１１が、電力測定処理ＣＴにより取得する電力値ＴＬＰが、前述した正の所定値Ｋ１（９００）以上を指示すると検出したとする。この場合、逆潮流の発生の可能性が低くなったことになる。この場合、ステップＳ２２５において、ＹＥＳと検出され、処理はステップＳ２２６に進む。
【０１６１】
ステップＳ２２６では、ＣＰＵ２１１が、一度でも、電力制御指示を送信したことのある全ての電力計測装置７００へ、比較値Ｌ１についての減少指示を送信する。減少指示は、初期値より増加している比較値Ｌ１の値を、初期値に戻すための指示である。なお、減少指示は、比較値Ｌ１を増加させた所定値（たとえば、“５”）より、小さい値（以下、減少値ともいう）を、たとえば、所定時間（たとえば、１秒）経過毎に、比較値Ｌ１から減じることを指示する。ここでは、減少値は、たとえば、“１”である。
【０１６２】
すなわち、減少指示では、比較値Ｌ１を増加させるステップ幅（“５”）より、比較値Ｌ１を減少させるステップ幅（“１”）を小さくしている。そのため、減少指示は、逆潮流が発生しにくい制御を行なわせるための指示である。そして、減少指示が送信されると、ステップＳ２２６の処理は終了し、再度、ステップＳ２２１の処理が行なわれる。
【０１６３】
総電力制御処理ＤＴＡでは、制御部７１０のＣＰＵ７１１は、ステップＳ２７３において、前述したように、減少指示を受信したか否かを検出する。減少指示が送信された全ての電力計測装置７００の各々において、減少指示を受信したと検出されると（ステップＳ２７３でＹＥＳ）、処理はステップＳ２７４に進む。
【０１６４】
ステップＳ２７４では、比較値Ｌ１についての減少処理が行なわれる。減少処理では、制御部７１０のＣＰＵ７１１が、受信した減少指示に基づいて、初期値より増加している比較値Ｌ１の値を、所定時間（たとえば、１秒）経過毎に、指示された減少値（たとえば、“１”）ずつ減少させる。
【０１６５】
ここで、減少指示が、１秒経過毎に、“１”ずつ減少させる指示であるとする。また、減少指示を受信した時点で、比較値Ｌ１の値は“５０”であるとする。この場合、ＣＰＵ７１１は、比較値Ｌ１の値を、１秒経過毎に、“１”ずつ減少させる。そして、再度、ステップＳ２７１の処理が行なわれる。
【０１６６】
次に、電力需要施設１０００それぞれの電力計測装置７００において常に行なわれている、対応する蓄電装置６００を制御するための処理（以下、施設内電力制御処理ともいう）について説明する。以下においては、分電盤４００から分配部３００（電力系統Ｐ１００）への方向への電力の流れを、施設内逆潮流ともいう。
【０１６７】
施設内電力制御処理は、施設内逆潮流が発生している場合は、施設内逆潮流をなくし、施設内逆潮流の発生の可能性が高い場合は、施設内逆潮流の発生の可能性を低減させるように、蓄電装置６００を制御するための処理である。また、施設内電力制御処理は、分配部３００から、分電盤４００へ向かう電力量が、対応する電力需要施設１０００において消費される適切な電力量の最大値を超えないように、蓄電装置６００を制御するための処理でもある。施設内電力制御処理は、他の処理とは独立して行なわれる処理である。
【０１６８】
図６は、施設内電力制御処理のフローチャートである。図６を参照して、施設内電力制御処理では、まず、ステップＳ３７１の処理が行なわれる。
【０１６９】
ステップＳ３７１では、制御部７１０の測定部７１３が、対応する電力線ＰＬ３０に流れる電流の値およびノードＮ４の電圧の値を測定する。すなわち、対応する電力線ＰＬ３０に流れる電力の値（以下、施設内電力値ＩＮＰともいう）を測定（検出）する。測定した施設内電力値ＩＮＰはメモリ７１２に格納される。
【０１７０】
ここで、施設内電力値ＩＮＰが正の値である場合、電力線ＰＬ３０に流れる電力の流れる方向は、分配部３００から対応する分電盤４００へ向かう方向であるとする。一方、施設内電力値ＩＮＰが負の値である場合、電力線ＰＬ３０に流れる電力の流れる方向は、対応する分電盤４００から分配部３００（電力系統Ｐ１００）へ向かう方向であるとする。
【０１７１】
次の、ステップＳ３７２では、ＣＰＵ７１１は施設内逆潮流が発生しているか否かと、施設内逆潮流の発生の可能性が高いか否かとを検出する。ここで、施設内逆潮流は、対応する分電盤４００から分配部３００（電力系統Ｐ１００）への方向への電力の流れであるとする。
【０１７２】
具体的には、条件検出部７１４は、測定部７１３が測定した施設内電力値ＩＮＰが、現時点の比較値Ｌ１の値未満を指示するか否かを検出する。測定した施設内電力値ＩＮＰが、現時点の比較値Ｌ１の値未満を指示すると検出する場合とは、たとえば、対応する電気負荷７０Ｒおよび対応する蓄電装置６００により消費される電力の値から、分配部３００および発電装置５００から対応する分電盤４００に供給されている電力の値を引いた値が、現時点の比較値Ｌ１より小さい場合である。
【０１７３】
施設内電力値ＩＮＰが、負の値を指示すると検出した場合は、施設内逆潮流が発生していることになる。施設内電力値ＩＮＰが、０に近い正の値を指示すると検出した場合は、施設内逆潮流の発生の可能性が高いことになる。なお、比較値Ｌ１の値は、前述した図５のステップＳ２７２，Ｓ２７４の処理等により変化する。
【０１７４】
ステップＳ３７２において、条件検出部７１４が、（ＩＮＰ＜Ｌ１）の条件が成立すると検出すると（ステップＳ３７２でＹＥＳ）、処理はステップＳ３７３に進むが、当該条件が成立しないと検出すると（ステップＳ３７２でＮＯ）、処理は後述するステップＳ３８１に進む。ここで、現時点の比較値Ｌ１の値は、“３５”であるとする。また、対応する電気負荷７０Ｒおよび対応する蓄電装置６００により消費される電力の値は、３９５Ｗであるとする。また、対応する分電盤４００に供給されている電力の値は、４００Ｗであるとする。この場合、施設内電力値ＩＮＰは、−５（Ｗ）であるとする。この場合、（ＩＮＰ＜Ｌ１）の条件は成立すると検出されて（ステップＳ３７２でＹＥＳ）、処理は、ステップＳ３７３に進む。
【０１７５】
ステップＳ３７３では、対応する蓄電装置６００が現在行っている処理を検出する。検出のために、ＣＰＵ７１１は、処理情報要求を、対応する蓄電装置６００へ送信する。処理情報要求は、対応する蓄電装置６００が現在行なっている処理（充電処理または放電処理）を示す情報を要求するための指示である。
【０１７６】
処理情報要求を受信した、蓄電装置６００の制御部６１０の状態検出部６１５は、制御部６１０の制御の下に蓄電装置６００が現在行う処理の種類を検出する。ＣＰＵ６１１は、検出結果を指す処理情報を、電力計測装置７００へ送信する。処理情報は、対応する蓄電装置６００が現在行なっている処理（充電処理または放電処理）を示す情報である。蓄電装置６００が充電処理を行なっている場合、送信される処理情報は充電処理を示し、放電処理を行なっている場合、放電処理を示し、充電処理および放電処理のいずれも行なっていない場合、処理情報は、処理停止を示す。
【０１７７】
制御部７１０のＣＰＵ７１１は、処理情報を受信することにより、対応する蓄電装置６００が処理を行なっているか否かを検出することができ、対応する蓄電装置６００が処理を行なっている場合、行なわれている処理の種類を検出することができる。そして、処理はステップＳ３７４に進む。
【０１７８】
ステップＳ３７４では、ＣＰＵ７１１は、対応する蓄電装置６００が放電処理を行なっているか否かを検出する。具体的には、対応する蓄電装置６００から受信した処理情報が放電処理を示すか否かを検出する。放電処理を示すと検出すると（ステップＳ３７４でＹＥＳ）、処理はステップＳ３７５に進むが、示さないと検出すると（ステップＳ３７４でＮＯ）、処理は後述するステップＳ３７６に進む。ここでは、対応する蓄電装置６００が放電処理を行なっているとして、処理はステップＳ３７５に進む。
【０１７９】
ステップＳ３７５では、放電処理により放電される電力を抑制するための処理（放電電力抑制処理という）が行なわれる。放電電力抑制処理では、電力制御部７１５は、放電抑制指示を、対応する蓄電装置６００へ送信する。放電抑制指示は、蓄電装置６００に、放電処理による、分配部３００（電力系統Ｐ１００）への方向への電力の供給量を抑制させるための処理を実行させるための指示である。
【０１８０】
放電抑制指示を受信した、蓄電装置６００の制御部６１０のＣＰＵ６１１は、放電処理による、分配部３００（電力系統Ｐ１００）への方向への電力の供給量を抑制させるための処理を行なう。具体的には、ＣＰＵ６１１の制御の下に、信号生成部６１３は、ドライブ回路６３０が出力するパルス信号（たとえば、パルス信号６１Ｓ，６２Ｓ，６３Ｓ，６４Ｓ）のパルス幅を小さくさせるための指示（以下、パルス幅減少指示）６６Ｓを生成し、当該ドライブ回路６３０へ送信する。
【０１８１】
パルス幅減少指示６６Ｓを受信したドライブ回路６３０は、各ＩＧＢＴに送信するパルス信号のパルス幅を小さくする。以上の処理により、対応する蓄電装置６００が行なう放電処理による、分配部３００（電力系統Ｐ１００）への方向への電力の供給量が抑制される。すなわち、ステップＳ３７５の放電電力抑制処理は、前述した施設内電力値ＩＮＰを大きくするための処理である。
【０１８２】
すなわち、ステップＳ３７５の放電電力抑制処理は、施設内逆潮流が発生している場合は、施設内逆潮流をなくすための処理であり、施設内逆潮流の発生の可能性が高い場合は、施設内逆潮流の発生の可能性を低減させるための処理である。そして、再度、ステップＳ３７１の処理が行なわれる。
【０１８３】
次に、ステップＳ３７４において、ＮＯと判定され、ステップＳ３７６に進む場合の処理について説明する。
【０１８４】
ステップＳ３７６では、蓄電装置６００が充電処理を行なっているか否かが検出される。具体的には、ＣＰＵ７１１が、対応する蓄電装置６００から受信した処理情報が充電処理を示すか否かを検出する。充電処理を示すと検出すると（ステップＳ３７６でＹＥＳ）、処理はステップＳ３７７に進むが、示さないと検出すると（ステップＳ３７６でＮＯ）、処理は後述するステップＳ３７７Ｃに進む。ここでは、対応する蓄電装置６００が充電処理を行なっているとして、処理はステップＳ３７７に進む。
【０１８５】
ステップＳ３７７では、充電状態検知処理が行なわれる。充電状態検知処理では、制御部７１０のＣＰＵ７１１が、充電状態情報要求を、対応する蓄電装置６００へ送信する。充電状態情報要求は、充電状態情報を要求するための指示である。充電状態情報は、対応する蓄電池ＢＴ２０の充電状態を示す前述した充電状態値を示す情報である。以下においては、充電状態値を、ＳＯＣともいう。
【０１８６】
充電状態情報要求を受信した、蓄電装置６００のＣＰＵ６１１は、現時点の充電状態値ＳＯＣをメモリ６１２から読出し、読出した充電状態値ＳＯＣを示す充電状態情報を、電力計測装置７００へ送信する。制御部７１０のＣＰＵ７１１は、充電状態情報を受信することにより、対応する蓄電池ＢＴ２０の充電状態を検知することができる。そして、処理はステップＳ３７８に進む。
【０１８７】
ステップＳ３７８では、制御部７１０が、蓄電池ＢＴ２０の状態が、満充電状態に近い状態でないか否かを検出する。具体的には、制御部７１０のＣＰＵ７１１が、受信した充電状態情報が示す充電状態値ＳＯＣと、メモリ７１２から読出した比較値Ｂ１とを比較しする。そして、比較結果に基づき、充電状態値ＳＯＣが比較値Ｂ１未満であるか否かを、すなわち（ＳＯＣ＜Ｂ１）の条件が成立するか否かを検出する。比較値Ｂ１は、蓄電池ＢＴ２０の状態が、満充電状態に近い状態でないか否かを検出するために参照される値であって、予めメモリ７１２に格納されている。蓄電池ＢＴ２０の状態が、満充電状態である場合、充電状態値ＳＯＣは１００（％）である。比較値Ｂ１は、一例として、９８（％）を指示すると想定する。
【０１８８】
（ＳＯＣ＜Ｂ１）の条件が成立すると検出すると（ステップＳ３７８でＹＥＳ）、処理はステップＳ３７９Ａに進むが、成立しないと検出すると（ステップＳ３７８でＮＯ）、処理は、後述するステップＳ３７９Ｂに進む。ここでは、充電状態値ＳＯＣが、比較値Ｂ１未満であるとして、処理はステップＳ３７９Ａに進むとする。
【０１８９】
ステップＳ３７９Ａでは、充電電力増加処理が行なわれる。充電電力増加処理では、電力制御部７１５が、充電電力増加指示を、対応する蓄電装置６００へ送信する。充電電力増加指示は、対応する蓄電装置６００に、充電処理により、対応する蓄電池ＢＴ２０に充電する電力を増加させるための処理を実行させるための指示である。
【０１９０】
充電電力増加指示を受信した、蓄電装置６００の制御部６１０は、充電処理により、対応する蓄電池ＢＴ２０に充電する電力を増加させるための処理を行なう。具体的には、ＣＰＵ６１１の制御の下に、信号生成部６１３は、ドライブ回路６３０が出力するパルス信号（たとえば、パルス信号６１Ｓ，６２Ｓ，６３Ｓ，６４Ｓ）のパルス幅を大きくさせるための指示（以下、パルス幅増加指示）６７Ｓを生成し、当該ドライブ回路６３０へ送信する。
【０１９１】
パルス幅増加指示６７Ｓを受信したドライブ回路６３０は、パルス幅増加指示６７Ｓに基づき各ＩＧＢＴに送信するパルス信号のパルス幅を大きくする。以上の処理により、対応する蓄電装置６００が行なう充電処理により、対応する蓄電池ＢＴ２０に充電する電力が増加される。したがって、蓄電装置６００が、分配部３００から分電盤４００を介して、受け取る電力が増加する。すなわち、ステップＳ３７９Ａの充電電力増加処理は、前述した施設内電力値ＩＮＰを大きくするための処理である。
【０１９２】
すなわち、ステップＳ３７９Ａの充電電力増加処理は、施設内逆潮流が発生している場合は、施設内逆潮流をなくすための処理であり、施設内逆潮流の発生の可能性が高い場合は、施設内逆潮流の発生の可能性を低減させるための処理である。そして、再度、ステップＳ３７１の処理が行なわれる。
【０１９３】
次に、ステップＳ３７８で（ＳＯＣ＜Ｂ１）の条件が成立しないと検出されて、ステップＳ３７９Ｂの処理が実行される場合について説明する。当該条件が成立しないと検出される場合は、蓄電池ＢＴ２０の状態が、満充電状態に近い状態である場合である。なお、前述したように、蓄電池ＢＴ２０の状態が、満充電状態になった場合、蓄電装置６００は、充電処理を停止し、充電処理および放電処理のいずれも行なっていない状態になる。
【０１９４】
ステップＳ３７９Ｂでは、充電抑制処理が行なわれる。充電抑制処理では、電力制御部７１５が、充電電力抑制指示を、対応する蓄電装置６００へ送信する。充電電力抑制指示は、対応する蓄電装置６００に、充電処理により、対応する蓄電池ＢＴ２０に充電する電力を抑制させるための処理を実行させるための指示である。
【０１９５】
充電電力抑制指示を受信した、蓄電装置６００の制御部６１０は、充電処理により、対応する蓄電池ＢＴ２０に充電する電力を抑制させるための処理を行なう。具体的には、ＣＰＵ６１１の制御の下に、信号生成部６１３は、ドライブ回路６３０が出力するパルス信号（たとえば、パルス信号６１Ｓ，６２Ｓ，６３Ｓ，６４Ｓ）のパルス幅を小さくさせるための指示（以下、パルス幅減少指示）６６Ｓを生成し、当該ドライブ回路６３０へ送信する。
【０１９６】
パルス幅減少指示６６Ｓを受信したドライブ回路６３０は、各ＩＧＢＴに送信するパルス信号のパルス幅を小さくする。以上の処理により、対応する蓄電装置６００が行なう充電処理により、対応する蓄電池ＢＴ２０に充電する電力が抑制される。したがって、蓄電装置６００が、分配部３００から分電盤４００を介して、受け取る電力が抑制される。すなわち、ステップＳ３７９Ｂの充電抑制処理は、前述した施設内電力値ＩＮＰを小さくするための処理である。
【０１９７】
すなわち、ステップＳ３７９Ｂの充電抑制処理は、施設内逆潮流が発生している場合は、施設内逆潮流を促進するための処理であり、施設内逆潮流の発生の可能性が高い場合は、施設内逆潮流を発生させるための処理である。充電抑制処理が終了すると、再度、ステップＳ３７１の処理が行なわれる。
【０１９８】
ステップＳ３７９Ｂの処理は、満充電に対する蓄電池ＢＴ２０の保護を行なうための処理である。
【０１９９】
なお、本発明の構成では、電力制御システム１００００に含まれる複数の電力需要施設１０００のうちの一部の電力需要施設１０００において施設内逆潮流が発生し、分配部３００へ電力が流れても、施設内逆潮流が発生してない他の電力需要施設１０００が分配部３００に供給される電力量より多くの電力量を消費すれば、電力系統Ｐ１００へ電力が流れる逆潮流は発生しない。
【０２００】
本発明において、電力系統Ｐ１００へ電力が流れる逆潮流の発生を防ぐための処理は、図５の総電力制御処理ＣＰ、総電力制御処理ＣＴＡおよび総電力制御処理ＤＴＡである。なお、総電力制御処理ＣＰ、総電力制御処理ＣＴＡおよび総電力制御処理ＤＴＡが行なわれることにより、電力系統Ｐ１００へ電力が流れる逆潮流の発生を防ぐことができることの詳細な説明は後述する。
【０２０１】
なお、ステップＳ３７９Ｂでは、前述した充電抑制処理と同時に、以下の発電抑制処理が行なわれてもよい。
【０２０２】
発電抑制処理では、電力制御部７１５が、発電電力抑制指示を、対応する発電装置５００へ送信する。発電電力抑制指示は、対応する発電装置５００が行なう発電処理により、対応する分電盤４００へ供給する、電力の供給量を抑制させるための発電抑制処理を実行させるための指示である。
【０２０３】
発電電力抑制指示を受信した、発電装置５００の制御部５１０は、発電処理により、対応する分電盤４００へ供給する、電力の供給量を抑制させるための発電抑制処理を行なう。具体的には、ＣＰＵ５１１の制御の下に信号生成部５１３は、ドライブ回路５３０が出力するパルス信号（たとえば、パルス信号５１Ｓ，５２Ｓ，５３Ｓ，５４Ｓ）のパルス幅を小さくさせるための指示（以下、パルス幅減少指示）５６Ｓを生成し、当該ドライブ回路５３０へ送信する。
【０２０４】
パルス幅減少指示５６Ｓを受信したドライブ回路５３０は、パルス幅減少指示５６Ｓに基づき各ＩＧＢＴに送信するパルス信号のパルス幅を小さくする。以上の処理により、対応する分電盤４００へ供給する、電力の供給量が抑制される。すなわち、発電抑制処理は、前述した施設内電力値ＩＮＰを大きくするための処理である。
【０２０５】
したがって、発電抑制処理は、発電装置５００が、太陽電池ＢＴ１０から得た電力を最大限に利用できなくなるものの、施設内逆潮流が発生している場合は、施設内逆潮流をなくすことができる。そのため、ステップＳ３７９Ｂでは、前述した充電抑制処理と同時に、発電抑制処理が行なわれることが望ましい。
【０２０６】
次に、ステップＳ３７６において、ＮＯと判定され、ステップＳ３７７Ｃに進む場合の処理について説明する。ステップＳ３７６において、ＮＯと判定される場合は、対応する蓄電装置６００が、充電処理および放電処理のいずれも行なってなく、処理を停止している場合である。
【０２０７】
ステップＳ３７７Ｃでは、ステップＳ３７７と同様に、充電状態検知処理が行なわれるので詳細な説明は繰り返さない。この処理により、制御部７１０は、充電状態値ＳＯＣを示す充電状態情報を受信し、対応する蓄電池ＢＴ２０の充電状態を検知することができる。そして、ステップＳ３７８Ｃに進む。
【０２０８】
ステップＳ３７８Ｃでは、対応する蓄電装置６００が、充電処理を実行可能であるか否かが検出される。具体的には、ＣＰＵ７１１が、受信した充電状態値ＳＯＣが、９８未満を指すか否かを検出する。充電処理実行可能（充電状態値ＳＯＣが９８未満を指す）と検出すると（ステップＳ３７８ＣでＹＥＳ）、処理は、ステップＳ３７９Ｃに進むが、充電処理実行不可能（充電状態値ＳＯＣが９８以上を指す）と検出すると（ステップＳ３７８ＣでＮＯ）、処理は、ステップＳ３７１に戻る。
【０２０９】
ステップＳ３７９Ｃでは、充電処理が実行される。制御部７１０のＣＰＵ７１１は、充電実行指示を、対応する蓄電装置６００へ送信する。充電実行指示は、対応する蓄電装置６００に充電処理を実行させるための指示である。
【０２１０】
充電実行指示を受信した、蓄電装置６００の制御部６１０は、充電処理を実行する。なお、充電処理については、前述したので、詳細な説明は繰り返さない。この充電処理が実行されることにより、対応する蓄電池ＢＴ２０に充電が行なわれる。したがって、蓄電装置６００は、分配部３００から分電盤４００を介して、電力を受け取るようになる。すなわち、ステップＳ３７９Ｃで実行される充電処理は、前述した施設内電力値ＩＮＰを大きくするための処理である。
【０２１１】
すなわち、ステップＳ３７９Ｃの充電処理は、施設内逆潮流が発生している場合は、施設内逆潮流をなくすための処理であり、施設内逆潮流の発生の可能性が高い場合は、施設内逆潮流の発生の可能性を低減させるための処理である。そして、再度、ステップＳ３７１の処理が行なわれる。
【０２１２】
施設内電力値ＩＮＰが、現時点の比較値Ｌ１の値未満を指示する場合は、前述したステップＳ３７９Ａ，Ｓ３７９Ｃの処理が行なわれることにより、施設内電力値ＩＮＰが現時点の比較値Ｌ１以上を指示するようにフィードバック制御が行なわれる。すなわち、電力制御システム１００００に含まれる複数の電力需要施設１０００の各々において、施設内逆潮流が生じないようにすることができる。
【０２１３】
次に、ステップＳ３７２において（ＩＮＰ＜Ｌ１）の条件が成立しないと検出されて（ステップＳ３７２でＮＯ）、ステップＳ３８１へ進む場合の処理について説明する。ステップＳ３７２において（ＩＮＰ＜Ｌ１）の条件が成立しないと検出される場合は、測定した施設内電力値ＩＮＰが、現時点の比較値Ｌ１の値以上を指す場合である。この場合、施設内逆潮流は発生しておらず、電力線ＰＬ３０に流れる電力の流れる方向は、分配部３００から対応する分電盤４００へ向かう方向である。以下においては、分配部３００から、対応する分電盤４００へ向かう電力量を、消費方向電力量ともいう。
【０２１４】
ステップＳ３８１では、消費方向電力量が消費適切最大電力量より大きいか否かが検出される。ここで、消費適切最大電力量は、対応する電力需要施設１０００において消費される適切な電力量の最大値であるとする。すなわち、ステップＳ３８１では、消費方向電力量が、消費適切最大電力量を超えているか否かが検出される。
【０２１５】
具体的には、制御部７１０のＣＰＵ７１１が、測定した施設内電力値ＩＮＰと、メモリ７１２から読出した判定値Ｌ２を比較し、比較結果に基づき（ＩＮＰ＞Ｌ２）の条件が成立するか否かを検出する。判定値Ｌ２は、予めメモリ７１２に格納されており、消費方向電力量が消費適切最大電力量より大きいか否かを検出するために参照される値である。
【０２１６】
ここで、判定値Ｌ２の値は、発電装置５００の最大出力の５０％の値であるとする。ここで、前述したように、発電装置５００の最大出力は、３ｋＷであるとするから、判定値Ｌ２の値は、１５００（Ｗ）を指示することになる。すなわち、消費適切最大電力量の値は、１５００（Ｗ）であるとする。
【０２１７】
（ＩＮＰ＞Ｌ２）の条件が成立すると検出されると（ステップＳ３８１でＹＥＳ）、処理はステップＳ３８２に進み、条件が成立しないと検出されると（ステップＳ３８１でＮＯ）、再度、ステップＳ３７１の処理が行なわれる。施設内電力値ＩＮＰが、判定値Ｌ２より大きい場合、消費方向電力量が消費適切最大電力量より大きいと検出される。一方、施設内電力値ＩＮＰが、判定値Ｌ２以下である場合、すなわち、施設内電力値ＩＮＰが、現時点の比較値Ｌ１の値以上で、かつ、判定値Ｌ２以下である場合、消費方向電力量が消費適切最大電力量以下、すなわち、対応する電力需要施設１０００内で消費される消費方向電力量が適切な量であると検出される。
【０２１８】
ステップＳ３８２では、対応の蓄電装置６００が現在行っている処理が検知される。ステップＳ３７３と同様の処理であるので、詳細な説明は繰り返さない。この処理により、制御部７１０は、対応する蓄電装置６００から処理情報を受信することにより、対応する蓄電装置６００が処理を行なっているか否かを検知することができ、対応する蓄電装置６００が処理を行なっている場合、行なわれている処理の種類が何であるか検知することができる。そして、処理はステップＳ３８３に進む。
【０２１９】
ステップＳ３８３では、蓄電装置６００が充電処理を行なっているか否かが検出される。具体的には、ＣＰＵ７１１は、対応する蓄電装置６００から受信した処理情報が充電処理を示すか否かを検出する。充電処理を示すと検出すると（ステップＳ３８３でＹＥＳ）、処理はステップＳ３８４に進むが、充電処理を示さないと検出すると（ステップＳ３８３でＮＯ）、処理は、後述するステップＳ３８６に進む。ここでは、対応する蓄電装置６００が充電処理を行なっているとして、処理はステップＳ３８４に進む。
【０２２０】
ステップＳ３８４では、ステップＳ３７９Ｂと同様に充電抑制処理が行なわれるので詳細な説明は繰り返さない。この処理により、対応する蓄電装置６００が行なう充電処理により、対応する蓄電池ＢＴ２０に充電する電力が抑制される。したがって、蓄電装置６００が、分配部３００から分電盤４００を介して、受け取る電力が抑制される。すなわち、ステップＳ３８４の充電抑制処理は、消費方向電力量を消費適切最大電力量以下にするための処理である。充電抑制処理が終了すると、再度、ステップＳ３７１の処理が行なわれる。
【０２２１】
次に、ステップＳ３８３において、ＮＯと判定され、ステップＳ３８６に進む場合の処理について説明する。
【０２２２】
ステップＳ３８６では、対応する蓄電装置６００が放電処理を行なっているか否かが検出される。具体的には、ＣＰＵ７１１が、対応する蓄電装置６００から受信した処理情報を解析し、解析結果に基づき放電処理を示すか否かを検出する。処理情報は放電処理を指すと検出すると（ステップＳ３８６でＹＥＳ）、処理は、ステップＳ３８７に進むが、放電処理を指さないと検出すると（ステップＳ３８６でＮＯ）、処理は、後述するステップＳ３８７Ｃに進む。ここでは、対応する蓄電装置６００が放電処理を行なっているとして、処理はステップＳ３８７に進む。
【０２２３】
ステップＳ３８７では、ステップＳ３７７と同様に、充電状態検知処理が行なわれるので詳細な説明は繰り返さない。この処理により、制御部７１０のＣＰＵ７１１は、充電状態値ＳＯＣを示す充電状態情報を受信し、対応する蓄電池ＢＴ２０の充電状態を検知することができる。そして、処理はステップＳ３８８に進む。
【０２２４】
ステップＳ３８８では、ＣＰＵ７１１は、充電状態値ＳＯＣに基づき対応する蓄電池ＢＴ２０の状態が、放電終止状態に近い状態でないか否かを検出する。放電終止状態は、前述したように、蓄電池ＢＴ２０に電力が蓄えられてない状態である。
【０２２５】
具体的には、ＣＰＵ７１１は、受信した充電状態情報が示す充電状態値ＳＯＣと、メモリ７１２から読出した比較値Ｂ２とを比較し、比較結果に基づき、（ＳＯＣ＞Ｂ２）の条件が成立するか否かを検出する。比較値Ｂ２は、予めメモリ７１２に格納されており、蓄電池ＢＴ２０の状態が、放電終止状態に近い状態でないか否かを検出するために参照される値である。蓄電池ＢＴ２０の状態が、放電終止状態である場合、充電状態値ＳＯＣは０（％）である。比較値Ｂ２は、一例として、５（％）を指すと想定する。
【０２２６】
（ＳＯＣ＞Ｂ２）の条件が成立すると検出されると（ステップＳ３８８でＹＥＳ）、処理は、ステップＳ３８９Ａに進むが、成立しないと検出されると（ステップＳ３８８でＮＯ）、処理は、後述するステップＳ３８９Ｂに進む。ここでは、充電状態値ＳＯＣが、比較値Ｂ２より大きいとして、処理はステップＳ３８９Ａに進むとする。
【０２２７】
ステップＳ３８９Ａでは、放電電力増加処理が行なわれる。放電電力増加処理では、制御部７１０が、放電電力増加指示を、対応する蓄電装置６００へ送信する。放電電力増加指示は、対応する蓄電装置６００に、放電処理により、対応する蓄電池ＢＴ２０から放電する電力を増加させるための処理を実行させるための指示である。
【０２２８】
放電電力増加指示を受信した、蓄電装置６００の制御部６１０は、放電処理により、対応する蓄電池ＢＴ２０から放電する電力を増加させるための処理を行なう。具体的には、ＣＰＵ６１１の制御の下に、信号生成部６１３は、ドライブ回路６３０が出力するパルス信号（たとえば、パルス信号６１Ｓ，６２Ｓ，６３Ｓ，６４Ｓ）のパルス幅を大きくさせるための指示（以下、パルス幅増加指示）６７Ｓを生成し、当該ドライブ回路６３０へ送信する。
【０２２９】
パルス幅増加指示６７Ｓを受信したドライブ回路６３０は、パルス幅増加指示６７Ｓに基づき各ＩＧＢＴに送信するパルス信号のパルス幅を大きくする。以上の処理により、対応する蓄電装置６００が行なう放電処理により、対応する蓄電池ＢＴ２０が放電する電力が増加される。したがって、蓄電装置６００が、分電盤４００を介して、分配部３００（電力系統Ｐ１００）への方向へ供給する電力が増加される。すなわち、ステップＳ３８９Ａの放電電力増加処理は、消費方向電力量を消費適切最大電力量以下にするための処理である。そして、再度、ステップＳ３７１の処理が行なわれる。
【０２３０】
次に、（ＳＯＣ＞Ｂ２）の条件が成立しないと検出されて（ステップＳ３８８でＮＯ）、処理がステップＳ３８９Ｂに進む場合について説明する。当該条件が成立しないと検出される場合は、対応する蓄電池ＢＴ２０の状態が、放電終止状態に近い状態である場合である。なお、前述したように、蓄電池ＢＴ２０の状態が、放電終止状態になった場合、蓄電装置６００は、放電処理を停止し、充電処理および放電処理のいずれも行なっていない状態になる。
【０２３１】
ステップＳ３８９Ｂでは、ステップＳ３７５と同様に、放電電力抑制処理が行なわれるので詳細な説明は繰り返さない。この処理により、対応する蓄電装置６００が行なう放電処理による、分配部３００（電力系統Ｐ１００）への方向への、電力の供給量が抑制される。そして、再度、ステップＳ３７１の処理が行なわれる。
【０２３２】
次に、ステップＳ３８６において、ＮＯと判定され、ステップＳ３８７Ｃに進む場合の処理について説明する。ステップＳ３８６において、ＮＯと判定される場合は、対応する蓄電装置６００が、充電処理および放電処理のいずれも行なってなく、処理を停止している場合である。
【０２３３】
ステップＳ３８７Ｃでは、ステップＳ３７７と同様に、充電状態検知処理が行なわれるので詳細な説明は繰り返さない。この処理により、制御部７１０は、充電状態値ＳＯＣを示す充電状態情報を受信し、対応する蓄電池ＢＴ２０の充電状態を検知することができる。そして、ステップＳ３８８Ｃに進む。
【０２３４】
ステップＳ３８８Ｃでは、対応する蓄電装置６００が、放電処理を実行可能であるか否かが検出される。具体的には、ＣＰＵ７１１は、受信した充電状態値ＳＯＣが、５以上を示すか否かを検出する。５以上を示すと検出すると（ステップＳ３８８ＣでＹＥＳ）、処理はステップＳ３８９Ｃに進むが、５以上を示さないと検出すると（ステップＳ３８８ＣでＮＯ）、処理は再度、ステップＳ３７１に移行する。
【０２３５】
ステップＳ３８９Ｃでは、放電処理が実行される。放電処理を実行するために、ＣＰＵ７１１は、放電処理実行指示を、対応する蓄電装置６００へ送信する。放電処理実行指示は、対応する蓄電装置６００に放電処理を実行させるための指示である。
【０２３６】
放電処理実行指示を受信した、蓄電装置６００の制御部６１０は、放電処理を実行する。なお、放電処理については、前述したので、詳細な説明は繰り返さない。この放電処理を実行することにより、対応する蓄電池ＢＴ２０に蓄えられた電力が放電される。したがって、蓄電装置６００が、分電盤４００を介して、分配部３００（電力系統Ｐ１００）への方向へ電力を送信する。すなわち、ステップＳ３８９Ｃで実行される放電処理は、消費方向電力量を消費適切最大電力量以下にするための処理である。そして、再度、ステップＳ３７１の処理が行なわれる。
【０２３７】
次に、前述した複数の処理が行なわれることにより、電力制御システム１００００において、電力が電力系統Ｐ１００へ流れるのを防ぐことができることを、具体例により検証する。
【０２３８】
なお、電力制御システム１００００では、前述した、図４の電力測定処理ＤＴおよび電力測定処理ＣＴ、図５の総電力制御処理ＣＰ、総電力制御処理ＣＴＡおよび総電力制御処理ＤＴＡ、図６の施設内電力制御処理が行なわれているとする。
【０２３９】
ここで、電力制御システム１００００に含まれる電力需要施設１０００の数は、３０戸であるとする。以下においては、電力制御システム１００００に含まれる電力需要施設１０００を、単に、電力需要施設ともいう。また、電力需要施設に含まれる発電装置５００を、単に、発電装置ともいう。また、電力需要施設に含まれる蓄電装置６００を、単に、蓄電装置ともいう。また、電力制御システム１００００に含まれる電力制御装置２００を、単に、電力制御装置ともいう。
【０２４０】
また、陽射しが最も強い昼間に、３０戸の電力需要施設の各々が含む発電装置は、発電処理を行なっているとする。この場合、発電処理を行なう各発電装置が出力する電力の値は、最大値である３ｋＷであるとする。
【０２４１】
また、３０戸の電力需要施設の各々が含む電力計測装置７００の制御部７１０が記憶している比較値Ｌ１の値は、初期値である３０（Ｗ）であるとする。なお、電力制御装置が、図４の電力測定処理ＣＴにより、始めて取得した電力値ＴＬＰは、所定値Ｋ１（９００（Ｗ））以上の値である、１０００（Ｗ）であるとする。この場合、電力制御装置では、図５のステップＳ２２１，Ｓ２２５の処理を繰り返し行なう。
【０２４２】
また、３０戸の電力需要施設のうち、２０戸の電力需要施設は、図６の施設内電力制御処理のステップＳ３７２でＹＥＳと判定される状態であるとする。施設内電力制御処理のステップＳ３７２でＹＥＳと判定される状態の電力需要施設は、施設内逆潮流が発生している施設または施設内逆潮流の発生の可能性が高い施設である。
【０２４３】
以下においては、施設内電力制御処理のステップＳ３７２でＹＥＳと判定される状態の電力需要施設を、第１電力需要施設ともいう。また、２０戸の第１電力需要施設の各々が含む蓄電装置は、充電処理を行なっているとする。また、２０戸の第１電力需要施設の各々が含む蓄電池ＢＴ２０は、電力を充電可能な状態であるとする。
【０２４４】
この場合、２０戸の第１電力需要施設の各々が含む電力計測装置７００は、図６の施設内電力制御処理において、ステップＳ３７１，Ｓ３７２，Ｓ３７３，Ｓ３７４、Ｓ３７６，Ｓ３７７，Ｓ３７８，Ｓ３７９Ａの処理を繰り返し行なうとする。この処理により、２０戸の第１電力需要施設の各々は、対応する発電装置から得た電力を、対応する蓄電池ＢＴ２０に充電する。
【０２４５】
なお、３０戸の電力需要施設のうち、２０戸の第１電力需要施設以外の１０戸の電力需要施設は、図６の施設内電力制御処理のステップＳ３７２でＮＯと判定される状態であるとする。施設内電力制御処理のステップＳ３７２でＮＯと判定される状態の電力需要施設は、施設内逆潮流の発生の可能性が低い施設である。
【０２４６】
以下においては、施設内電力制御処理のステップＳ３７２でＮＯと判定される状態の電力需要施設を、第２電力需要施設ともいう。
【０２４７】
この場合、１０戸の第２電力需要施設の各々が含む電力計測装置７００は、図６の施設内電力制御処理において、ステップＳ３７１、Ｓ３７２，Ｓ３８１，Ｓ３８２，Ｓ３８３，Ｓ３８４，Ｓ３８６，Ｓ３８７，Ｓ３８８，Ｓ３８９Ａ，Ｓ３８９Ｂ，Ｓ３８７Ｃ，Ｓ３８８Ｃ，Ｓ３８９Ｃのいずれかの処理を行なっているとする。
【０２４８】
なお、ステップＳ３７１，Ｓ３７２，Ｓ３７３，Ｓ３７４、Ｓ３７６，Ｓ３７７，Ｓ３７８，Ｓ３７９Ａの処理を繰り返し行なう２０戸の第１電力需要施設のうち、１０戸の電力需要施設の各々が含む蓄電池ＢＴ２０の状態が、満充電状態に近い状態になり、当該１０戸の電力需要施設の各々が含む電力計測装置７００が、ステップＳ３７９Ａの代わりに、ステップＳ３７９Ｂの処理を行なうようになったとする。
【０２４９】
これにより、対応する電力計測装置７００が、ステップＳ３７９Ｂの処理を行なう１０戸の電力需要施設で、施設内逆潮流が発生したとする。
【０２５０】
そして、この状態で、電力制御装置が図４の電力測定処理ＣＴにより取得した電力値ＴＬＰが、所定値Ｋ１（９００（Ｗ））未満の値である、７００（Ｗ）になったとする。この場合、電力線ＰＬ１０に流れる電力の流れる方向が、分配部３００から電力系統Ｐ１００へ流れる方向となる逆潮流の発生の可能性が高くなる。この場合、３０戸の電力需要施設のうち、対応する電力計測装置７００が、ステップＳ３７９Ｂの処理を行なっていない電力需要施設は、２０戸であるとする。
【０２５１】
この場合、電力制御装置は、図５のステップＳ２２２，Ｓ２２３，Ｓ２２４の処理を行なうことにより、前述した電力制御指示を、処理情報を自装置（電力制御装置）に提供した全ての電力需要施設の各々に含まれる電力計測装置７００へ送信する。対応する電力計測装置７００が、電力制御指示を受信する全ての電力需要施設には、１０戸の第２電力需要施設も含まれる。
【０２５２】
電力制御指示を受信した電力計測装置７００は、比較値Ｌ１の値を、所定値（たとえば、５）だけ増加させる。これにより、１０戸の第２電力需要施設のうち、施設内電力制御処理のステップＳ３７２でＹＥＳと判定される状態になった電力需要施設が発生する確率が上昇する。以下においては、比較値Ｌ１の値の増加により、施設内電力制御処理のステップＳ３７２でＹＥＳと判定される状態になった第２電力需要施設を、第３電力需要施設ともいう。第３電力需要施設は、施設内逆潮流が発生しておらず、かつ、施設内逆潮流の発生の可能性が低い電力需要施設である。
【０２５３】
ここで、比較値Ｌ１の値の増加により、１０戸の第２電力需要施設のうち、５戸の第２電力需要施設が、第３電力需要施設になったとする。
【０２５４】
この場合、５戸の第３電力需要施設の各々が含む電力計測装置７００は、図６の施設内電力制御処理において、ステップＳ３７５またはステップＳ３７９Ａの処理を行なう。これにより、５戸の第３電力需要施設のうち、対応する蓄電装置が、放電処理を行なっている第３電力需要施設では、分配部３００（電力系統Ｐ１００）への方向への、電力の供給量が抑制される。また、５戸の第３電力需要施設のうち、対応する蓄電装置が、充電処理を行なっている第３電力需要施設では、対応する蓄電池ＢＴ２０に充電する電力が増加される。
【０２５５】
したがって、電力制御装置が図４の電力測定処理ＣＴにより取得する電力値ＴＬＰが上昇する。そして、電力値ＴＬＰが、所定値Ｋ１（９００（Ｗ））以上の値になると、すなわち、分配部３００（電力需要施設１０００）から、電力系統Ｐ１００への電力の流れである逆潮流の発生の可能性が低くなると、電力制御装置は、図５のステップＳ２２６の処理を行ない、減少指示を、一度でも、電力制御指示を送信したことのある全ての電力計測装置７００へ送信する。
【０２５６】
減少指示を受信した電力計測装置７００は、増加された比較値Ｌ１の値が、所定値（たとえば、“５”）より、小さい値（以下、減少値ともいう）で、所定時間（たとえば、１秒）経過毎に、減少値（たとえば、“１”）ずつ減少させる。
【０２５７】
上記方法により比較値Ｌ１の値を減少させることにより、電力線ＰＬ１０に流れる電力の流れる方向が、分配部３００から電力系統Ｐ１００へ流れる方向に転じにくくなるよう制御することができる。また、電力値ＴＬＰが、所定値Ｋ１以上の値になった場合に、上記方法により比較値Ｌ１の値が減少されることにより、電力値ＴＬＰの値が大きくなりすぎないようにすることができる。
【０２５８】
以上の処理が行なわれることにより、分配部３００（電力需要施設１０００）から、電力系統Ｐ１００への電力の流れである逆潮流の発生を防止することができる。すなわち、電力系統Ｐ１００の配電電圧の上昇を防ぐことができ、電力系統Ｐ１００に悪影響を与えないようにすることができる。
【０２５９】
また、本実施の形態では、電力制御システム１００００に含まれる複数の蓄電装置に、逆潮流抑制のための充電処理を行なわせることもできる。そのため、一台の蓄電装置を利用する場合と比べて、複数の蓄電装置が、対応する蓄電池ＢＴ２０の状態が満充電状態となり、充電処理ができなくなる可能性が少なくなる。そのため、信頼性が高い逆潮流抑制の処理を行うことができる。また、複数の蓄電装置にそれぞれ対応する複数の蓄電池に、充電電力が分散するため、充電レートを抑制することができる。そのため、蓄電池の負担を減らし蓄電池の長寿命化を図ることができる。
【０２６０】
また、本実施の形態では、蓄電池ＢＴ２０に電力を充電させる場合、事前に、蓄電池ＢＴ２０の状態を調べる処理を行なう。これにより、満充電状態である蓄電池ＢＴ２０に充電させることを防ぐことができ、安全性を確保することができる。
【０２６１】
また、本実施の形態では、分配部３００（電力需要施設１０００）から、電力系統Ｐ１００への電力の流れである逆潮流の発生の可能性が低い場合、すなわち、電力値ＴＬＰが、所定値Ｋ１以上である場合は、各電力需要施設において、施設内逆潮流の発生が生じないように、蓄電装置が制御される。そのため、分配部３００（電力需要施設１０００）から、電力系統Ｐ１００への電力の流れである逆潮流が発生しない電力制御システムを提供できる。
【０２６２】
また、本実施の形態では、発電装置５００が行なう発電処理により出力される電力量を抑制する処理はしないので、発電装置５００が、太陽電池ＢＴ１０から得た電力を最大限に利用することができる。
【０２６３】
また、本実施の形態では、複数の電力需要施設１０００を含む電力制御システム１００００において、一括して電力を受電する部分からの逆潮流が発生しないような制御が行なわれ、かつ、複数の電力需要施設１０００の各々が含む蓄電装置を、電力制御装置２００が集中管理して有効利用する。その結果、発電装置の出力を抑制することなく、蓄電装置に余剰電力を蓄電することができる電力制御システムを提供することができる。
【０２６４】
以上により、本発明においては、電力が電力系統Ｐ１００へ流れるのを防ぎつつ、電力の有効活用を可能とすることができるという効果を奏する。
【０２６５】
ここで、電力制御指示が、全ての電力需要施設１０００の各々に含まれる電力計測装置７００へ送信されることにより生じる現象を説明する。
【０２６６】
電力制御指示を受信した電力計測装置７００は、比較値Ｌ１の値を、所定値（たとえば、５）だけ増加させる。これにより、図６の施設内電力制御処理のステップＳ３７２でＮＯと判定される状態の第２電力需要施設が、施設内電力制御処理のステップＳ３７２でＹＥＳと判定される状態になった第３電力需要施設が発生する確率が上昇する。対応する蓄電装置が充電処理または放電処理を行なっている複数の第３電力需要施設の各々が含む電力計測装置７００は、図６の施設内電力制御処理において、ステップＳ３７５またはステップＳ３７９Ａの処理を行なう。
【０２６７】
したがって、比較値Ｌ１の値が増加されることにより、放電処理を行なっている蓄電装置６００に、放電処理による、電力系統Ｐ１００への方向への、電力の供給量を抑制させるための抑制処理を実行させることができる。また、比較値Ｌ１の値が増加されることにより、充電処理を行なっている蓄電装置６００に、充電処理により、対応する蓄電池ＢＴ２０に充電する電力を増加させるための増加処理を実行させることができる。
【０２６８】
したがって、電力制御指示を受信した電力需要施設１０００が有する蓄電装置６００が、放電処理を行なっている場合抑制処理を行なう確率が上昇する。また、電力制御指示を受信した電力需要施設１０００が有する蓄電装置６００が、充電処理を行なっている場合増加処理を行なう確率が上昇する。
【０２６９】
なお、測定部１１３，５１３，６１３，７１３、信号生成部５１３，６１３、状態検知部６１５は、回路のみにより構成されてもよく、または、ソフトウェアと回路の組合せにより構成されてもよい。
【０２７０】
このように、今回開示した上記実施の形態はすべての点で例示であって、制限的なものではない。本発明の技術的範囲は請求の範囲によって画定され、また請求の範囲の記載と均等の意味および範囲内でのすべての変更を含むものである。
【産業上の利用可能性】
【０２７１】
本発明は、電力系統から供給される電力を、複数の電力需要施設に分配する電力制御システムにおいて有効である。
【符号の説明】
【０２７２】
ＰＬ１０  電力線、ＢＴ１０  太陽電池、ＢＴ２０  蓄電池、Ｐ１００  電力系統、５０  変圧器、１００  電力計測装置、１１０，２１０，６１０，７１０  制御部、２００  電力制御装置、３００  分配部、４００  分電盤、５００  発電装置、６００  蓄電装置、７００  電力計測装置、１０００  電力需要施設、１００００  電力制御システム。
【図１】
2009157342.tif 000003
【図２】
2009157342.tif 000004
【図３】
2009157342.tif 000005
【図４】
2009157342.tif 000006
【図５】
2009157342.tif 000007
【図６】
2009157342.tif 000008
【国際調査報告】
2009157342.tif 000009
2009157342.tif 000010
2009157342.tif 000011
2009157342.tif 000012